(57)【要約】アナログ放送、ディジタル放送等の放送形態によらず、視聴調査を行うことができるようにし、また、視聴者に制限を課したり、放送局に負担をかけたりせずに、視聴調査を行えるようにする視聴調査システムである。映像特徴量生成手段１２は、視聴者が映像を視聴する映像視聴端末５０から映像信号を受信し、その映像信号から、映像の特徴を表す情報である映像特徴量を生成する。映像情報送信手段１３は、映像特徴量生成手段１２が生成した映像特徴量を視聴調査サーバ２に送信する。一方、映像特徴量生成手段２１ａ〜２１ｃも放送されている番組に基づいて映像特徴量を生成し、番組映像特徴量記憶部２２に格納する。視聴番組特定手段２３は、映像情報送信手段１３から受信した映像特徴量と、番組映像特徴量記憶部２２に格納された映像特徴量とを照合して、視聴されている番組を特定する。【特許請求の範囲】
【請求項１】
放送される番組の映像を表示する映像表示端末から前記映像の映像信号が入力される映像信号入力部と、
前記映像信号入力部に入力された前記映像信号に基づいて、前記映像の特徴を表す情報である映像特徴量を生成する映像特徴量生成部と、
各チャンネルで放送されている番組の映像信号に基づいて、番組の映像の映像特徴量をチャンネル毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定部と
を具備する
視聴調査システム。
【請求項２】
放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部と
を具備し、
前記視聴調査端末は、
前記映像表示端末が表示する映像の映像信号が前記映像表示端末から入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を前記視聴調査サーバに送信する送信部と
を備え、
前記視聴調査サーバは、
前記番組映像特徴量生成部が生成した映像特徴量を記憶する番組映像特徴量記憶部と、
前記送信部によって送信された映像特徴量と、前記番組映像特徴量記憶部が記憶する各映像特徴量との類似度を判定することによって、前記映像表示端末が表示している番組または前記番組を放送しているチャンネルを特定する視聴番組特定部と
を備えた
視聴調査システム。
【請求項３】
前記視聴調査端末は更に、前記映像表示端末の電源がオンであるかオフであるかを判定する電源状態判定部を備え、
前記映像特徴量生成部は、前記映像表示端末の電源がオンであると判定された場合に、前記映像表示端末が表示する映像の映像特徴量を生成する
請求項２に記載された視聴調査システム。
【請求項４】
前記送信部は、前記映像表示端末から前記映像信号入力部に映像信号が入力された時刻の情報を、前記映像信号に基づいて生成された映像特徴量とともに前記視聴調査サーバに送信し、
前記番組映像特徴量生成部は、番組の映像信号を受信した時刻の情報を、前記映像信号に基づいて生成した映像特徴量とともに前記番組映像特徴量記憶部に記憶させ、
前記視聴調査サーバはさらに、前記送信部から受信した時刻の情報と、前記番組映像特徴量記憶部が記憶する時刻の情報とに基づいて、前記視聴番組特定部による類似度の判定処理対象を定める第１の類似度判定処理対象限定部を備えた
請求の範囲項２又は３のうちのいずれか１項に記載された視聴調査システム。
【請求項５】
前記番組映像特徴量記憶部は、前記番組映像特徴量生成部が生成した映像特徴量をチャンネル毎に記憶し、
前記送信部は、映像表示端末の位置を示す位置情報を、映像特徴量とともに前記視聴調査サーバに送信し、
前記視聴調査サーバは更に、各位置で受信可能なチャンネルの一覧情報を記憶するチャンネル情報記憶部と、
前記送信部から受信した前記映像表示端末の位置情報と前記一覧情報とに基づいて、前記映像表示端末が受信可能なチャンネルを特定することにより、視聴番組特定部による類似度の判定処理対象を定める第２の類似度判定処理対象限定部と
を備えた
請求項２から４のうちのいずれか１項に記載された視聴調査システム。
【請求項６】
放送される番組の映像を表示する映像表示端末から前記映像の映像信号が入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を、前記映像特徴量に基づいて前記映像に対応する番組またはその番組を放送しているチャンネルを特定する前記視聴調査サーバに送信する送信部と
を具備する
視聴調査端末。
【請求項７】
前記映像表示端末の電源がオンであるかオフであるかを判定する電源状態判定手段を備え、
前記映像特徴量生成部は、映像表示端末の電源がオンであると判定された場合に、前記映像表示端末が表示する映像の映像特徴量を生成する
請求項６に記載された視聴調査端末。
【請求項８】
前記送信部は、前記映像表示端末から前記映像信号入力部に映像信号が入力された時刻の情報を、前記映像信号に基づいて生成された映像特徴量とともに前記視聴調査サーバに送信する請求項６又は７のうちのいずれか１項に記載された視聴調査端末。
【請求項９】
前記送信部は、前記映像表示端末の位置を示す位置情報を、前記映像信号に基づいて生成された映像特徴量とともに前記視聴調査サーバに送信する請求項６から８のうちのいずれか１項に記載された視聴調査端末。
【請求項１０】
各チャンネルで放送されている番組の映像信号に基づいて、映像の特徴を表す情報である映像特徴量を各チャンネルの各番組毎に生成する番組映像特徴量生成手段と、
前記番組映像特徴量生成手段が生成した映像特徴量を記憶する番組映像特徴量記憶部と、
放送される番組の映像を表示する映像表示端末に設置される視聴調査端末から、前記映像表示端末が表示した映像の特徴を表す情報である映像特徴量を受信し、受信した前記映像特徴量と、前記番組映像特徴量記憶手段が記憶する各映像特徴量との類似度を判定することによって、前記映像表示端末が表示している番組または前記番組を放送しているチャンネルを特定する視聴番組特定部と
を具備する
視聴調査サーバ。
【請求項１１】
前記番組映像特徴量記憶部は、前記番組映像特徴量生成部が番組の映像信号を受信した時刻の情報を、前記映像信号に基づいて生成した映像特徴量とともに記憶し、
更に、前記視聴調査端末から、前記映像表示端末が映像信号を受信した時刻の情報と、前記映像信号に基づいて生成された映像特徴量とを受信し、受信した時刻の情報と、前記番組映像特徴量記憶部が記憶する時刻の情報とに基づいて、視聴番組特定部による類似度の判定処理対象を定める第１の類似度判定処理対象限定部を備えた
請求項１０に記載された視聴調査サーバ。
【請求項１２】
前記番組映像特徴量記憶部は、前記番組映像特徴量生成部が生成した映像特徴量をチャンネル毎に記憶し、
更に、各位置で受信可能なチャンネルの一覧情報を記憶するチャンネル情報記憶手段と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備えた
請求項１０又は１１のうちのいずれか１項に記載された視聴調査サーバ。
【請求項１３】
放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部
とを具備し、
前記視聴調査端末は、
前記映像表示端末が表示する映像の映像信号を前記視聴調査サーバに送信する映像送信部
を備え、
前記視聴調査サーバは、
前記映像送信部から送信される映像信号に基づいて、前記映像表示端末が表示する映像の映像特徴量を生成する映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、映像表示端末が表示している番組または前記番組を放送しているチャンネルを特定する視聴番組特定部
とを備える
視聴調査システム。
【請求項１４】
前記視聴調査端末は、前記映像表示端末の電源がオンであるかオフであるかを判定する電源状態判定部を備え、
前記映像送信部は、前記映像表示端末の電源がオンであると判定された場合に、前記映像表示端末が表示する映像の映像信号を前記視聴調査サーバに送信する
請求項１３に記載された視聴調査システム。
【請求項１５】
前記映像送信部は、前記映像表示端末が表示する映像の映像信号とともに、前記映像信号を前記映像表示端末から入力された時刻の情報を前記視聴調査サーバに送信し、
前記番組映像特徴量生成手段は、番組の映像信号を受信した時刻の情報を、前記映像信号に基づいて生成した映像特徴量とともに前記番組映像特徴量記憶部に記憶させ、
前記視聴調査サーバは、前記映像送信手段から受信した時刻の情報と、前記番組映像特徴量記憶手段が記憶する時刻の情報とに基づいて、前記視聴番組特定部による類似度の判定処理対象を定める第１の類似度判定処理対象限定部を備えた
請求項１３又は１４のうちのいずれか１項に記載された視聴調査システム。
【請求項１６】
前記視聴調査端末は、前記映像表示端末の位置を示す位置情報を前記視聴調査サーバに送信する位置情報送信部を備え、
前記番組映像特徴量記憶部は、前記番組映像特徴量生成部が生成した映像特徴量をチャンネル毎に記憶し、
前記視聴調査サーバは、各位置で受信可能なチャンネルの一覧情報を記憶するチャンネル情報記憶部と、
前記位置情報送信部から受信した前記位置情報と前記一覧情報とに基づいて、前記映像表示端末が受信可能なチャンネルを特定することにより、視聴番組特定部による類似度の判定処理対象を定める第２の類似度判定処理対象限定部を備えた
請求項１３から１５のうちのいずれか１項に記載された視聴調査システム。
【請求項１７】
番組を表示する映像表示端末の電源がオンであるかオフであるかを判定する電源状態判定部と、
前記映像表示端末の電源がオンであると判定された場合に、前記映像表示端末が表示する映像の映像信号を、映像の特徴を表す情報である映像特徴量に基づいて前記映像に対応する番組またはその番組を放送しているチャンネルを特定する視聴調査サーバに送信する映像送信部と
を具備する
視聴調査端末。
【請求項１８】
放送される番組の映像を表示する映像表示端末が表示する映像の映像信号を、前記映像表示端末に設置される視聴調査端末から受信し、前記映像信号に基づいて、前記映像表示端末が表示する映像の特徴を表す情報である映像特徴量を生成する映像特徴量生成部と、
映像の特徴を表す情報である映像特徴量を各チャンネルの各番組毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定手段と
を備えた
視聴調査サーバ。
【請求項１９】
前記番組映像特徴量記憶部は、前記番組映像特徴量生成部が番組の映像信号を受信した時刻の情報を、前記番組映像特徴量生成部が生成した映像特徴量とともに記憶し、
前記映像表示端末が表示する映像の映像信号が前記映像表示端末から前記視聴調査端末に送られた時刻の情報を受信し、受信した時刻の情報と、前記番組映像特徴量記憶部が記憶する時刻の情報とに基づいて、前記視聴番組特定部による類似度の判定処理対象を定める第１の類似度判定処理対象限定部を備えた
請求項１８に記載された視聴調査サーバ。
【請求項２０】
前記番組映像特徴量記憶部は、番組映像特徴量生成部が生成した映像特徴量をチャンネル毎に記憶し、
更に、各位置で受信可能なチャンネルの一覧情報を記憶するチャンネル情報記憶部と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備えた
請求項１８又は１９のうちのいずれか１項に記載された視聴調査サーバ。
【請求項２１】
放送される番組の映像を表示する映像表示端末から番組の映像の映像信号が入力される映像信号入力部と、
前記映像信号入力部に入力された映像信号に基づいて、映像の特徴を表す情報である映像特徴量を生成する映像特徴量生成部と、
各チャンネルで放送されている番組の映像信号に基づいて、番組の映像の映像特徴量をチャンネル毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定部と
を具備する
視聴調査端末。
【請求項２２】
更に、前記映像表示端末の電源がオンであるかオフであるかを判定する電源状態判定手段を備え、
前記映像特徴量生成部は、前記映像表示端末の電源がオンであると判定された場合に、前記映像表示端末が表示する映像の映像特徴量を生成する
請求項２１に記載された視聴調査端末。
【請求項２３】
前記番組映像特徴量生成部は、番組の映像信号を受信した時刻の情報を、前記映像信号に基づいて生成した映像特徴量とともに前記番組映像特徴量記憶部に記憶させ、
前記映像表示端末から前記映像信号入力部に映像信号が入力された時刻と、前記番組映像特徴量記憶手段が記憶する時刻の情報とに基づいて、前記視聴番組特定部による類似度の判定処理対象を定める類似度判定処理対象限定部を備えた
請求項２１又は２２のうちのいずれか１項に記載された視聴調査端末。
【発明の詳細な説明】
【技術分野】
【０００１】  本発明は、放送番組等が視聴されているか否かを調査する視聴調査システムに関し、特に映像として放送等される番組が視聴されているか否かを調査する視聴調査システムに関する。
【背景技術】
【０００２】  放送番組の視聴調査は、調査対象家庭のテレビジョン受像機に設置されたメディアセンサによって行われることが一般的である。メディアセンサとは、テレビジョン受像機からの漏れ電波を検出することによって、視聴者が閲覧しているチャンネルを特定する装置である。【０００３】  また、視聴調査を行うための各種システムが種々提案されている。特開２００２−１３５８１０号公報（特に、段落００１４−００１７および段落００３０−００３３、図２）に記載のシステムでは、テレビジョン受像機を操作する高機能携帯端末に番組選択の履歴を蓄積し、その履歴を高機能携帯端末から視聴率調査会社に、外部ネットワークを介して送信する。そして、視聴率調査会社によって視聴率調査（視聴調査）が行われる。特許文献１に記載のシステムでは、文字・画像表示装置を備えた携帯電話機やＰＨＳ（Ｐｅｒｓｏｎａｌ  Ｈａｎｄｙｐｈｏｎｅ  Ｓｙｓｔｅｍ）と、テレビジョン受像機を操作するリモートコントローラとを一体化したものとして、高機能携帯端末を実現している。特許文献１に記載のシステムでは、このような高機能携帯端末を利用しているので、テレビジョン放送の視聴者一人一人の番組視聴頻度、時間、嗜好傾向等を把握することができる。【０００４】  特開２００１−１７７８５３号公報（特に、第４頁−第６頁、図１−図３）に記載のシステムでは、視聴者が利用するテレビジョン受像機が、予め集計装置から、視聴番組を識別するための映像コード（番組識別コード）を受信しておく。そして、テレビジョン受像機は、番組の映像コードが付加された放送番組を受信し、その番組に付加された映像コードと、予め集計装置から受信した映像コードをとを照合し、映像コードが一致していれば、その番組の視聴履歴を作成する。そして、その視聴履歴を集計装置に送信する。集計装置は、視聴履歴を集計して集計データを作成し、これを管理する。【０００５】  また、山田昭雄，「ＭＰＥＧ−７  Ｖｉｓｕａｌ  チュートリアル」、情報処理学会オーディオビジュアル複合情報処理シンポジウム２００１、ｐｐ．４５−５４には、映像を識別できるようにした表現である「Ｃｏｌｏｒ  Ｌａｙｏｕｔ」や、映像内の動きの激しさで映像を識別できるようにした表現である「Ｍｏｔｉｏｎ  Ａｃｔｉｖｉｔｙ」が紹介されている。【０００６】  特開２０００−６８９５６号公報には、個人に割り当てられた周波数の搬送波を調査対象者の個人識別信号を付加した視聴取番組の楽音で変調して、視聴番組収集機に無線で送信する携帯型集音器を複数の調査対象者に腕時計やネクタイピンの形で携帯させ、複数の携帯型集音器から受信した楽音を分析して楽音の特徴を表す特徴パラメ−タマトリックスパタ−ンを抽出し、特徴パラメ−タマトリックスパタ−ン、受信時刻、調査対象者の個人識別信号とを連続的に記録できるメモリを持つ視聴番組収集機が番組視聴率集計センタ−からアクセスされる度に特徴パラメ−タマトリックスパタ−ンと受信時刻と調査対象者の個人識別信号に関するデジタルデ−タを視聴番組収集機に内蔵された電話モデム、電話回線を経て、番組視聴率集計センタ−に送信することによって個人視聴取率を集計する個人視聴取率集計システムが開示であって、携帯��集音器は視聴取番組に楽音を集音するマイクとマイクからの楽音信号と個人識別信号を多重化した送信信号で個人に割り当てられた周波数の搬送波を変調し送信する送信装置とを備え、視聴番組収集機は複数の調査対象者が受信した携帯型集音器からそれぞれ前記送信楽音信号を受信し、前記送信楽音信号を復調し調査対象者の個人識別信号と各々の調査対象者が聴取した楽音信号をそれぞけ分離する受信分離回路と受信分離回路から出力される楽音信号をアナログ・デジタル変換し、デジタルフィルタにより１または複数の周波数スペクトラムに分解し、各の周波数の振幅成分を取り出した後、各周波数スペクトラム毎の振幅レベルの時間変化を一定間隔でサンプリングした形のデジタルデータを出力し、複数の個人に対応する複数の特徴パラメ−タ抽出回路と前記特徴パラメ−タ抽出回路の出力信号と時刻目盛りと個人識別信号を記憶する番組メモリと前記特徴パラメ−タ抽出回路の出力信号と時刻目盛りを順番に番組メモリに記録して、楽音の周波数スペクトラムと振幅レベルの時間分布による楽音の特徴パラメ−タマトリックスパタ−ンを作成する手段と、番組視聴率集計センタ−から受信した時刻信号と内蔵する時計の時刻を比較し、不一致が検出されると内蔵する時計の時刻を校正する手段と受信分離回路から出力される調査対象者の個人識別信号を前記番組メモリに記録する手段と楽音の特徴パラメ−タマトリックスパタ−ンと調査対象者の個人識別信号と転送開始および終了時刻信号を転送速度を調整しながら電話回線に転送する手段とを持つデ−タ処理回路と、楽音の特徴パラメ−タマトリックスパタ−ンと調査対象者の個人識別信号と転送開始および終了時刻信号を電話回線に転送し、前記番組視聴率集計センタ−から時刻信号を受信するための電話モデムとを備え、前記番組視聴率集計センタ−は複数の視聴番組収集機からの転送される特徴パラメ−タマトリックスパタ−ン、調査対象者の個人識別番号、転送開始および終了時刻のデジタルデ−タと調査対象放送局の番組の録音から当該受信時刻における楽音から抽出された特徴パラメ−タマトリックスパタ−ンとを前記視聴番組収集機の受信時刻と調査対象放送局の受信時刻の差を補正しながら比較し、視聴取番組を特定し、番組の個人視聴取率を集計することを特徴とした個人視聴取率集計システムが開示されている。【０００７】  特開２０００−３０７５３０号公報には、調査対象の放送受信機、ウェアラブル視聴率メータ、移動体通信網における公衆用無線基地局、電話網、視聴率集計センタで構成されるウェアラブル視聴率メータシステムであって、内蔵の超小型マイクで調査対象者の視聴番組の楽音を収集して、前記楽音の特徴パラメータを抽出し、前記特徴パラメータで構成される視聴番組楽音データと聴取時刻と調査対象者の識別コードと転送時間との１組を多重化した伝送パケットを転送する機能を持ち、常に調査対象者が身に付けていることができるウェアラブル視聴率メータと基地局識別コードを前記伝送パケットに付加する機能を持つ移動体通信網の公衆用無線基地局と前記公衆用無線基地局から電話網を介して伝送パケットを受信する機能と聴取地域で聴取時刻に受信可能なすべての放送番組（以下、基準番組と称する）を受信する機能と前記基準番組の楽音の特徴パラメータを抽出し、前記特徴パラメータで構成される基準番組楽音データに放送地域と番組名と放送時間との１組を多重化した基準番組パケットを作成する機能と前記伝送パケットから分離した聴取時刻と基地局識別コードにより、前記基準番組パケットを順次選択し、そのパケットにに含まれる特徴パラメータと伝送パケットに含まれる特徴パラメータとの相関関係をとって、この相関作業によって番組を特定する機能を持つ視聴率集計センタで構成されることを特徴とするウェアラブル視聴率メータシステムが開示されている。【０００８】  特開２０００−３５８２５５号公報には、対話型テレビ放送システムにおいて、複数のテレビチャネルの番組とデータを放送を通じて供給する供給元装置と、複数の受信装置であって、前記供給元装置によって送信されたテレビチャネルのうち一つのテレビチャネルを受信するためにチャネル選択を行なう選局手段と、前記供給元装置から送信されるデータに応答して、前記受信装置がどのチャネルを受信しているかを判定する処理手段と、前記受信装置が受信中のチャネルに係わる情報を、共通に設けられたデータ収集装置に対して送信する送信手段と、をそれぞれ有する複数の受信装置と、を有することを特徴とする対話型テレビ放送システムが開示されている。【０００９】  特開２００１−６９０９８号公報には、複数のページからなるデータ放送番組をそのうちの１ページを受信者側で選択可能な状態で放送し、受信者側では、選択指示したページ毎に情報の提供を受けることができるようにするデータ放送方法であって、前記データ放送番組を放送する放送装置は、受信者側でどのページが選択されたかの情報を返信するように、前記データ放送番組を受信する受信装置を制御する制御情報を、前記データ放送番組の放送信号に含めて放送し、前記データ放送番組を受信する受信装置は、前記データ放送番組の放送信号に含まれる前記制御情報に応じて、受信者側でどのページが選択されたかの情報を、所定の通信路を通じて前記放送装置に返信することを特徴とするデータ放送方法が開示されている。【００１０】  特開２００１−２９８４３３号公報には、家庭に設置され、その家庭で視聴した放送番組に関するデータを視聴調査用データとして送信する装置であって、各放送局の放送出力データから特定アルゴリズムを用いてデータ量を縮小した抽出データを受信する受信手段と、受信したその抽出データを蓄積する受信抽出データ記憶手段と、放送受信機において実際に視聴している放送出力データを記録する放送データ記憶手段と、前記抽出データと放送出力データとを照合し、視聴していた放送局を割り出す演算手段と、割り出された局について視聴済みデータとして視聴率調査センターへ送信する送信手段とを備えた視聴率調査装置が開示されている。【００１１】  特開２００２−１０２３０号公報には、映像中の被写体について特徴量を抽出し、該特徴量と映像をネットワークを介して配信する映像配信方法において、利用者から映像コンテンツ及び該映像コンテンツの特徴量の配信要求をセンタに発行し、前記センタでは、映像の種類の情報を含む特定の項目からなる映像コンテンツを記憶する映像アーカイブから���前記配信要求に対応する映像コンテンツを抽出すると共に、該映像コンテンツに対応する特徴量を特徴量記憶手段から抽出して、該配信要求の発行元の利用者に配信することを特徴とする映像配信方法が開示されている。【００１２】  特開２００２−５８０４９号公報には、映像を含むコンテンツの放送を確認する放送確認装置であって、前記コンテンツの特徴量を蓄える蓄積手段と、放送信号から前記コンテンツの特徴量を抽出するコンテンツ特徴量抽出手段と、前記コンテンツ特徴量抽出手段により抽出された前記コンテンツの特徴量を前記蓄積手段に登録するコンテンツ登録手段と、放送信号から特徴量を算出する第１の特徴量算出手段と、前記第１の特徴量算出手段により算出された特徴量と前記蓄積手段上の特徴量とを照合する照合手段と、該照合によって得られた照合結果を記録する記録手段と、を備えることを特徴とする放送確認装置が開示されている。【００１３】  特開２００２−７７４３６号公報には、テレビジョン受像機を制御するリモートコマンダに、時間計測手段と、記憶手段と、テレビジョン受像機の電源のオン／オフ操作及びそのオン／オフ間にチャンネル選択操作があった場合に、そのオン／オフ操作については各操作時点での前記時間計測手段の時刻データを、チャンネル選択操作についてはその操作時刻データと選択されたチャンネルデータを、それぞれ前記記憶手段に格納するデータ格納手段と、ＰＨＳ（ｐｅｒｓｏｎａｌ  ｈａｎｄｙ−ｐｈｏｎｅ  ｓｙｓｔｅｍ）電話機又は携帯電話機におけるデータ送信手段と、前記時間計測手段が所定時間を計測する度に、予め付与されている端末識別データと前記記憶手段に格納されたデータを前記データ送信手段によってＰＨＳ電話又は携帯電話のネットワーク上のメールサーバに用意されたデータ集計センターのメールアドレス宛てに送信させる送信制御手段とを具備せしめ、そのリモートコマンダをモニタとなる所定数のテレビジョン所有世帯に貸与し、前記データ集計センター側が、定期的に又は所望時刻に前記メールアドレスのメールボックスをアクセスしてデータを収集して処理することにより、テレビジョンの世帯視聴率を求めることを特徴としたテレビジョン視聴率調査方式が開示されている。【００１４】  特開２００２−１４２２３４号公報には、放送の視聴率又は聴取率を集計可能にした受信装置であって、前記放送されるコンテンツと同期して送られてくるコンテンツから、少なくともコンテンツが何であるかを特定するコンテンツ情報を分離して抽出するコンテンツ情報の分離手段と、受信中のコンテンツに対応して、前記抽出したコンテンツ情報と、前記コンテンツを放送している放送局を特定する局情報と、前記コンテンツを受信している時刻を特定する時間情報とを視聴率又は聴取率集計用のデータとして生成するデータ生成手段と、前記データ生成手段が生成したデータを蓄積するデータ蓄積手段と、を少なくとも含むことを特徴とする受信装置が開示されている。【００１５】  特開２００２−２７１２８６号公報には、データ放送サービスを行うデジタル放送局と、データを記憶する不揮発性記憶部、通信回線インターフェース、および放送局から送信されるデータ放送番組データを受付けそれらを解釈し���データ放送画面を生成する中央演算プロセサを備えたデジタルデータ放送受信機と、必要に応じてこの受信機から送信されるデータを通信回線網を経由して受付け、それらを集計するデータベースを管理するセンターサーバーと、を含んで構成されるデジタルデータ放送システムにおいて、前記受信機に、一定時間間隔で視聴放送局または視聴番組の識別情報をその時の時刻とともに前記不揮発性記憶部に記録させ、さらにより大きな一定時間間隔で前記不揮発性記憶部に記録させたデータを前記通信回線インターフェースを通じて前記センターサーバーに転送させる視聴調査実行手段を備えることにより、視聴調査データを収集できるようにしたデータ放送を利用したデジタル放送の視聴データ収集システムが開示されている。【００１６】  特開２００２−３００１２６号公報には、データ収集管理業者が移動体管理者と提携して、各移動体での移動体向け放送の番組視聴データを含む採集データを収集するデータ収集システムであって、前記移動体管理者が管理する移動体に据え付けられ、前記移動体向け放送の視聴データを採集し蓄積する受信装置と、前記移動体管理者が管理する移動体管理設備に配置され、前記移動体の受信装置から蓄積された採集データを受け取り、データ集計先に送信するデータ中継装置と、前記データ収集管理業者が管理するデータ集計局に配置され、前記データ中継装置から送信される採集データを受け取り、所定の集計、解析を行うデータ集計装置とを具備することを特徴とするデータ収集システムが開示されている。【００１７】  特開２００２−３０５７６０号公報には、番組を放送する番組放送手段と、操作手段と、前記操作手段の操作に応答して、前記番組放送手段から受信した番組を蓄積し再生する番組蓄積再生手段と、前記操作手段の操作履歴情報を含む前記番組蓄積再生手段に蓄積された番組の視聴履歴情報を収集する履歴情報収集手段と、前記履歴情報収集手段で収集された視聴履歴情報を通信路を介して送信する送信手段と、前記通信路を介して前記送信手段から受信した前記視聴履歴情報を記憶する履歴情報記憶手段とを備えて成ることを特徴とする視聴履歴情報収集システムが開示されている。【００１８】  特開２００２−３３５５４３号公報には、視聴状況データ取得スクリプトを含む放送ストリームを受信するステップと、前記視聴状況データ取得スクリプトを実行するステップと、前記取得した視聴状況データをセンタコンピュータに送信するステップと、を備え、前記実行するステップは、モニタ会員であることを示す会員識別情報が所定の領域に記憶されているか否かをチェックして、前記会員識別情報が記憶されている場合に限り、視聴状況データを取得することを特徴とする視聴状況調査方法が開示されている。【００１９】  特開２００２−３４４９３３号公報には、データ放送を用いて付加的なサービスを行う番組放送環境を利用した視聴情報収集システムであって、番組の映像情報及び音声情報で構成された番組データと、その番組に関連した所定の番組付加情報とを作成し、データ放送を利用して番組付加情報を番組データと共に放送する放送設備と、視聴者によって選択された番組に応じた前記番組データ及び前記番組付加情報を受信し、そ��番組付加情報から抽出される受信番組を特定する番組受信情報と視聴者に関する視聴者情報とを併せた視聴情報を、自動的に作成して送信する複数の放送受信端末と、前記複数の放送受信端末から送信される前記視聴情報をそれぞれ受信し、この各々の視聴情報に基づいて番組提供者毎に所望の分析／加工処理されたマーケティング情報を生成し、番組提供者へ送出する視聴情報サーバとを備える、視聴情報収集システムが開示されている。【００２０】  特開平０８−２８００７５号公報には、赤外線リモコン信号を受光する受光部を有する調査対象物を動作させるために発射される赤外線リモコン信号を検出する赤外線リモコン信号情報検出装置であって、前記調査対象物の受光部を覆うように取り付けられ、前記赤外線リモコン信号情報検査装置が検出した赤外線リモコン信号に応じた赤外線信号を前記調査対象物の受光部に送信する赤外線発光部を有していることを特徴とする赤外線リモコン信号情報検出装置が開示されている。【００２１】  特開平０９−０６５２９９号公報には、番組識別情報が付加された番組信号を受信する番組信号受信手段と、上記番組信号受信手段で受信された上記番組信号より上記番組識別情報を分離する番組識別情報分離手段と、上記番組識別情報分離手段で分離された上記番組識別情報を格納する第１の情報記憶手段とを備えることを特徴とする受信装置が開示されている。【００２２】  特開平１０−１１２８２９号公報には、放送局側から映像信号を電波またはケーブルで視聴者の受像機側に送信する映像放送システムにおいて、放送局側には、映像信号にスクランブルまたは暗号化されたサブリミナル映像信号を挿入する手段を備え、受像機側には、受信した映像信号の中から前記スクランブルまたは暗号化されたサブリミナル映像を抽出する手段と、前記抽出されたスクランブルまたは暗号化されたサブリミナル映像を許可信号が入力されたことを条件として復号化する手段と、前記復号化したサブリミナル映像を前後の映像と合成して表示する手段と、前記許可信号を入力する手段と、を備える、ことを特徴とする映像放送システムが開示されている。【００２３】  特開平１１−２７５６０７号公報には、赤外線リモコンが発する赤外線信号を受信する赤外線受信手段と、前記赤外線リモコンが操作されたとき、前記赤外線受信手段で受信した赤外線信号を予め格納されている所定のフォーマットに基づいて解析してテレビ操作内容を判別する操作判別手段と、該操作判別手段による判別結果に応じて作成される番組視聴情報を格納する番組視聴情報格納手段と、既存の通信システムに接続され、要求に応じて、前記番組視聴情報格納手段に格納されている番組視聴情報を、該既存の通信システムを介してセンタ装置側に送信する通信制御手段と、を有することを特徴とするテレビ視聴率調査システムが開示されている。【００２４】  特開平１１−２８４５８４号公報には、複数チヤンネルの番組の中から選択された番組の選択履歴情報を取得する番組選択履歴情報取得装置において、上記番組の選択情報を所定の取得タイミングで記憶する記憶手段と、複数の上記取得タイミングごとに記憶された複数の上記選択情報からなる上記選択履歴情報を、固有に割り当てられた所定���送信タイミングで所定の通知先に送信する送信手段とを具えることを特徴とする番組選択履歴情報取得装置が開示されている。【００２５】  特表２００３−５０２９３６号公報には、視聴率調査システムであって、（Ａ）視聴率パネルの対象者であるユーザに割り当てられた複数の携帯型監視ユニットであって、前記各携帯型監視ユニットが前記携帯型監視ユニットによって受信される自由音場音声信号を表す情報を記録し、前記自由音場音声信号を表す前記情報が、前記自由音場音声信号の内容を表す情報と、前記自由音場音声信号が前記携帯型監視ユニットによって受信された時を示すタイムスタンプ情報とを含む複数の携帯型監視ユニットと、（Ｂ）複数の音声源から伝送された音声信号を表す情報を記録する中央放送収集設備であって、各音声信号について、前記中央放送収集設備によって記録された前記情報が、前記音声信号の内容を表す情報と、前記音声信号が前記中央放送収集設備によって受信された時を示すタイムスタンプ情報と、前記音声信号を伝送した音声源を示す音声源情報とを含む中央放送収集設備と、（Ｃ）前記携帯型監視ユニットによって記録された前記情報と前記中央放送収集施設によって記録された前記情報とにより、各々の複数の異なった時間間隔の間に携帯型監視ユニットの各ユーザによって選択された前記音声源を識別するコンピュータとからなるシステムが開示されている。
【特許文献１】特２０特化意２−１３５８１０公報
【特許文献２】特開２００１−１７７８５３公報
【特許文献３】特開２０００−６８９５６公報
【特許文献４】特開２０００−３０７５３０公報
【特許文献５】特開２０００−３５８２５５公報
【特許文献６】特開２００１−６９０９８公報
【特許文献７】特開２００１−２９８４３３公報
【特許文献８】特開２００２−１０２３０公報
【特許文献９】特開２００２−５８０４９公報
【特許文献１０】特開２００２−７７４３６公報
【特許文献１１】特開２００２−１４２２３４公報
【特許文献１２】特開２００２−２７１２８６公報
【特許文献１３】特開２００２−３００１２６公報
【特許文献１４】特開２００２−３０５７６０公報
【特許文献１５】特開２００２−３３５５４３公報
【特許文献１６】特開２００２−３４４９３３公報
【特許文献１７】特開２００２−２８００７５公報
【特許文献１８】特開平９−６５２９９公報
【特許文献１９】特開平１０−１１２８２９公報
【特許文献２０】特開平１１−２７５６０７公報
【特許文献２１】特開平１１−２８４５８４公報
【特許文献２２】特開２００３−５０２９３６公報
【非特許文献１】山田昭雄著「ＭＰＥＧ−７  Ｖｉｓｕａｌ  チュートリアル」ｐｐ．４５−５４
【発明の開示】
【発明が解決しようとする課題】
【００２６】  メディアセンサによってテレビジョン受像機からの漏れ電波を検出する方法では、ディジタルテレビ等の電波の漏れがないテレビジョン受像機に適用することができない。ディジタル放送等では、同一の周波数帯域に複数のコンテンツが含まれる場合があり、視聴者が視聴しているコンテンツを特定できないという問題もある。【００２７】  また、特許文献１に記載のシステムでは、番組を視聴するときに特定の端末（高機能携帯端末）を用いてテレビジョン受像機を操作しなければ、正確な視聴調査を行えないという問題があった。例えば、高機能携帯端末を用いずに、テレビジョン受像機に設けられたチャンネル変更ボタンによってチャンネルを変更する操作を行った場合等には、高機能携帯端末に視聴履歴が蓄積されず、正確な視聴調査を行えなかった。【００２８】  また、特許文献２に記載のシステムでは、視聴調査の対象となる全ての放送局が、各放送番組に映像コード（番組識別コード）を付加する必要がある。そのため、放送局は、放送番組に映像コードを付加するための装置を導入しなければならない等の運用上の負担を負うことになる。【００２９】  そこで、本発明は、アナログ放送、ディジタル放送等の放送形態によらず、視聴調査を行うことができる視聴調査システムを提供することを目的とする。また、視聴者が特定の端末を使用しなければならない等の制限を設けなくても視聴調査を行うことができる視聴調査システムを提供することを目的とする。さらに、番組に映像コードを付加しなければならないという放送局の負担を軽減することができる視聴調査システムを提供することを目的とする。
【課題を解決するための手段】
【００３０】  本発明による視聴調査システムは、放送される番組の映像を表示する映像表示端末から映像の映像信号が入力される映像信号入力部と、映像信号入力部に入力された映像信号に基づいて、映像の特徴を表す情報である映像特徴量を生成する映像特徴量生成部と、各チャンネルで放送されている番組の映像信号に基づいて、番組の映像の映像特徴量をチャンネル毎に生成する番組映像特徴量生成部と、番組映像特徴量生成部が生成した映像特徴量を記憶する番組映像特徴量記憶部と、映像特徴量生成部が生成した映像特徴量と、番組映像特徴量記憶部が記憶する各映像特徴量との類似度を判定することによって、映像表示端末が表示している番組または番組を放送しているチャンネルを特定する視聴番組特定部とを備えている。【００３１】  本発明による視聴調査システムは、放送される番組の映像を表示する映像表示端末に設置される視聴調査端末と、視聴調査端末に接続される視聴調査サーバと、視聴調査サーバに接続され、各チャンネルで放送されている番組の映像信号に基づいて、映像の特徴を表す情報である映像特徴量を各チャンネルの各番組毎に生成する番組映像特徴量生成部とを備えている。視聴調査端末は、映像表示端末が表示する映像の映像信号が映像表示端末から入力される映像信号入力部と、映像信号入力部に入力された映像信号に基づいて、映像表示端末が表示する映像の特徴を表す情報である映像特徴量を生成する映像特徴量生成部と、映像特徴量生成部が生成した映像特徴量を視聴調査サーバに送信する送信部とを備えている。視聴調査サーバは、番組映像特徴量生成部が生成した映像特徴量を記憶する番組映像特徴量記憶部と、送信部によって送信された映像特徴量と、番組映像特徴量記憶部が記憶する各映像特徴量との類似度を判定することによって、映像表示端末が表示している番組または番組を放送しているチャンネルを特定する視聴番組特定部とを備えている。【００３２】  視聴調査端末は、映像表示端末の電源がオンであるかオフであるかを判定する電源状態判定部を備えている。映像特徴量生成部は、映像表示端末の電源がオンであると判定された場合に、映像表示端末が表示する映像の映像特徴量を生成する構成であってもよい。【００３３】  送信部は、映像表示端末から映像信号入力部に映像信号が入力された時刻の情報を、映像信号に基づいて生成された映像特徴量とともに視聴調査サーバに送信し、番組映像特徴量生成部は、番組の映像信号を受信した時刻の情報を、映像信号に基づいて生成した映像特徴量とともに番組映像特徴量記憶部に記憶させ、視聴調査サーバはさらに、送信部から受信した時刻の情報と、番組映像特徴量記憶部が記憶する時刻の情報とに基づいて、視聴番組特定部による類似度の判定処理対象を定める第１の類似度判定処理対象限定部を備えた構成であってもよい。【００３４】  番組映像特徴量記憶部は、番組映像特徴量生成部が生成した映像特徴量をチャンネル毎に記憶し、送信部は、映像表示端末の位置を示す位置情報を、映像特徴量とともに視聴調査サーバに送信し、視聴調査サーバは更に、各位置で受信可能なチャンネルの一覧情報を記憶するチャンネル情報記憶部と、送信部から受信した映像表示端末の位置情報と一覧情��とに基づいて、映像表示端末が受信可能なチャンネルを特定することにより、視聴番組特定部による類似度の判定処理対象を定める第２の類似度判定処理対象限定部とを備えた構成であってもよい。【００３５】  また、本発明による視聴調査端末は、放送される番組の映像を表示する映像表示端末から映像の映像信号が入力される映像信号入力部と、映像信号入力部に入力された映像信号に基づいて、映像表示端末が表示する映像の特徴を表す情報である映像特徴量を生成する映像特徴量生成部と、映像特徴量生成部が生成した映像特徴量を、映像特徴量に基づいて映像に対応する番組またはその番組を放送しているチャンネルを特定する視聴調査サーバに送信する送信部とを備えている。【００３６】  映像表示端末の電源がオンであるかオフであるかを判定する電源状態判定手段を備え、映像特徴量生成部は、映像表示端末の電源がオンであると判定された場合に、映像表示端末が表示する映像の映像特徴量を生成する構成であってもよい。【００３７】  送信部は、映像表示端末から映像信号入力部に映像信号が入力された時刻の情報を、映像信号に基づいて生成された映像特徴量とともに視聴調査サーバに送信する構成であってもよい。【００３８】  送信部は、映像表示端末の位置を示す位置情報を、映像信号に基づいて生成された映像特徴量とともに視聴調査サーバに送信する構成であってもよい。【００３９】  また、本発明による視聴調査サーバは、各チャンネルで放送されている番組の映像信号に基づいて、映像の特徴を表す情報である映像特徴量を各チャンネルの各番組毎に生成する番組映像特徴量生成手段と、番組映像特徴量生成手段が生成した映像特徴量を記憶する番組映像特徴量記憶部と、放送される番組の映像を表示する映像表示端末に設置される視聴調査端末から、映像表示端末が表示した映像の特徴を表す情報である映像特徴量を受信し、受信した映像特徴量と、番組映像特徴量記憶手段が記憶する各映像特徴量との類似度を判定することによって、映像表示端末が表示している番組または番組を放送しているチャンネルを特定する視聴番組特定部とを備えている。【００４０】  番組映像特徴量記憶部は、番組映像特徴量生成部が番組の映像信号を受信した時刻の情報を、映像信号に基づいて生成した映像特徴量とともに記憶し、視聴調査端末から、映像表示端末が映像信号を受信した時刻の情報と、映像信号に基づいて生成された映像特徴量とを受信し、受信した時刻の情報と、番組映像特徴量記憶部が記憶する時刻の情報とに基づいて、視聴番組特定部による類似度の判定処理対象を定める第１の類似度判定処理対象限定部を備えた構成であってもよい。【００４１】  番組映像特徴量記憶部は、前記番組映像特徴量生成部が生成した映像特徴量をチャンネル毎に記憶し、各位置で受信可能なチャンネルの一覧情報を記憶するチャンネル情報記憶手段と、前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備えた構成であってもよい。【００４２】  また、本発明���よる視聴調査システムは、放送される番組の映像を表示する映像表示端末に設置される視聴調査端末と、前記視聴調査端末に接続される視聴調査サーバと、前記視聴調査サーバに接続され、各チャンネルで放送されている番組の映像信号に基づいて、映像の特徴を表す情報である映像特徴量を各チャンネルの各番組毎に生成する番組映像特徴量生成部とを具備し、前記視聴調査端末は、前記映像表示端末が表示する映像の映像信号を前記視聴調査サーバに送信する映像送信部を備え、前記視聴調査サーバは、前記映像送信部から送信される映像信号に基づいて、前記映像表示端末が表示する映像の映像特徴量を生成する映像特徴量生成部と、前記番組映像特徴量生成部が生成した映像特徴量を記憶する番組映像特徴量記憶部と、前記映像特徴量生成部が生成した映像特徴量と、前記番組映像特徴量記憶部が記憶する各映像特徴量との類似度を判定することによって、映像表示端末が表示している番組または前記番組を放送しているチャンネルを特定する視聴番組特定部とを備える。【００４３】  前記視聴調査端末は、前記映像表示端末の電源がオンであるかオフであるかを判定する電源状態判定部を備え、前記映像送信部は、前記映像表示端末の電源がオンであると判定された場合に、前記映像表示端末が表示する映像の映像信号を前記視聴調査サーバに送信する構成であってもよい。【００４４】  映像送信部は、前記映像表示端末が表示する映像の映像信号とともに、前記映像信号を前記映像表示端末から入力された時刻の情報を前記視聴調査サーバに送信し、前記番組映像特徴量生成手段は、番組の映像信号を受信した時刻の情報を、前記映像信号に基づいて生成した映像特徴量とともに前記番組映像特徴量記憶部に記憶させ、前記視聴調査サーバは、前記映像送信手段から受信した時刻の情報と、前記番組映像特徴量記憶手段が記憶する時刻の情報とに基づいて、前記視聴番組特定部による類似度の判定処理対象を定める第１の類似度判定処理対象限定部を備えた構成であってもよい。【００４５】  視聴調査端末は、視聴調査端末は、映像表示端末の位置を示す位置情報を視聴調査サーバに送信する位置情報送信部を備え、番組映像特徴量記憶部は、番組映像特徴量生成部が生成した映像特徴量をチャンネル毎に記憶し、視聴調査サーバは、各位置で受信可能なチャンネルの一覧情報を記憶するチャンネル情報記憶部と、位置情報送信部から受信した位置情報と一覧情報とに基づいて、映像表示端末が受信可能なチャンネルを特定することにより、視聴番組特定部による類似度の判定処理対象を定める第２の類似度判定処理対象限定部を備えた構成であってもよい。【００４６】  また、本発明による視聴調査端末は、番組を表示する映像表示端末の電源がオンであるかオフであるかを判定する電源状態判定部と、映像表示端末の電源がオンであると判定された場合に、映像表示端末が表示する映像の映像信号を、映像の特徴を表す情報である映像特徴量に基づいて映像に対応する番組またはその番組を放送しているチャンネルを特定する視聴調査サーバに送信する映像送信部とを備える。【００４７】  また、本発明による視聴調査サーバは、放送される番組の映像を表示する映像表示端末が表示する映像の映像信号を、映像表示端末に設置される視聴調査端末から受信し、映像信号に基づいて、映像表示端末が表示する映像の特徴を表す情報である映像特徴量を生成する映像特徴量生成部と、映像の特徴を表す情報である映像特徴量を各チャンネルの各番組毎に生成する番組映像特徴量生成部と、番組映像特徴量生成部が生成した映像特徴量を記憶する番組映像特徴量記憶部と、映像特徴量生成部が生成した映像特徴量と、番組映像特徴量記憶部が記憶する各映像特徴量との類似度を判定することによって、映像表示端末が表示している番組または番組を放送しているチャンネルを特定する視聴番組特定手段とを備えている。【００４８】  番組映像特徴量記憶部は、番組映像特徴量生成部が番組の映像信号を受信した時刻の情報を、番組映像特徴量生成部が生成した映像特徴量とともに記憶し、映像表示端末が表示する映像の映像信号が映像表示端末から視聴調査端末に送られた時刻の情報を受信し、受信した時刻の情報と、番組映像特徴量記憶部が記憶する時刻の情報とに基づいて、視聴番組特定部による類似度の判定処理対象を定める第１の類似度判定処理対象限定部を備えた構成であってもよい。【００４９】  番組映像特徴量記憶部は、番組映像特徴量生成部が生成した映像特徴量をチャンネル毎に記憶し、各位置で受信可能なチャンネルの一覧情報を記憶するチャンネル情報記憶部と、映像表示端末の位置情報を視聴調査端末から受信し、映像表示端末の位置情報と一覧情報とに基づいて、映像表示端末が受信可能なチャンネルを特定することにより、視聴番組特定部による類似度の判定処理対象を定める第２の類似度判定処理対象限定部を備えた構成であってもよい。【００５０】  また、本発明による視聴調査端末は、放送される番組の映像を表示する映像表示端末から番組の映像の映像信号が入力される映像信号入力部と、映像信号入力部に入力された映像信号に基づいて、映像の特徴を表す情報である映像特徴量を生成する映像特徴量生成部と、各チャンネルで放送されている番組の映像信号に基づいて、番組の映像の映像特徴量をチャンネル毎に生成する番組映像特徴量生成部と、
番組映像特徴量生成部が生成した映像特徴量を記憶する番組映像特徴量記憶部と、映像特徴量生成部が生成した映像特徴量と、番組映像特徴量記憶部が記憶する各映像特徴量との類似度を判定することによって、映像表示端末が表示している番組または番組を放送しているチャンネルを特定する視聴番組特定部とを備えている。【００５１】  映像表示端末の電源がオンであるかオフであるかを判定する電源状態判定手段を備え、映像特徴量生成部は、映像表示端末の電源がオンであると判定された場合に、映像表示端末が表示する映像の映像特徴量を生成する構成であってもよい。【００５２】  番組映像特徴量生成部は、番組の映像信号を受信した時刻の情報を、映像信号に基づいて生成した映像特徴量とともに番組映像特徴量記憶部に記憶させ、映像表示端末から映像信号入力部に映像信号が入力された時刻と、番組映像特徴量記憶手段が記憶する時刻の情報とに基づいて、視聴番組特定部による類似度の判定処理対象を定める類似度判定処理対象限定部を備えた構成であってもよい。
【発明の効果】
【００５３】  本発明によれば、視聴者が視聴している番組から算出された映像特徴量と、各番組から算出された映像特徴量とを比較して、視聴調査を行っている。このように映像に基づく映像特徴量を用いて比較を行っているので、アナログ放送、ディジタル放送等の放送形態によらずに、視聴調査を行うことができる。また、視聴者が高機能携帯端末を使用しなければならない等のような、視聴者に対する制限を課さずにすむ。また、各放送局は、番組に映像コードを付加しなくてよいので、各放送局の運用負担を軽減できる。【００５４】  また、映像表示装置の電源がオンである場合に、映像特徴量を算出したり、あるいは、映像信号を出力する構成であるので、視聴者が映像表示装置の電源をオンとしているときにだけ、効率的に視聴調査を行うことができる。【００５５】  さらに、映像表示装置の電源がオンであれば、映像表示装置の映像の映像特徴量が生成され、また、番組映像特徴量生成手段は、各チャンネルで放送されている番組の映像信号に基づいて、番組の映像の映像特徴量を生成するので、視聴者が視聴しているチャンネルおよび番組をほぼリアルタイムに特定することができる。その結果、放送局は、番組編成の考慮を迅速に行うことができる。【００５６】  また、映像表示端末から映像信号入力手段に映像信号が入力された時刻および実際に番組が放送された時刻とを参照して視聴調査を行うことにより、視聴者に放送の電波が届くタイミングが若干ずれたとしても視聴調査を行うことができる。また、視聴者が現在放送されている番組ではなく、例えば、録画した番組を視聴している場合等であっても、視聴者が視聴している番組を特定することができる。【００５７】  また、映像表示端末の位置情報を参照することにより、視聴調査の際に、類似度の判定精度を落とさないで、類似度の判定処理の負荷を低くすることができる。
【発明を実施するための最良の形態】
【００５８】  以下、本発明を実施するための最良の実施の形態を図面を参照して説明する。【００５９】（実施の形態１）
図１には、本発明の第１の実施の形態の構成を示すブロック図が示されている。本実施の形態における視聴調査システムは、図１に示されるように視聴番組監視端末（以下、視聴監視端末と記す。）１と、視聴調査サーバ２とを備える。【００６０】  視聴監視端末１は、映像視聴端末５０に設置される。映像視聴端末５０は、視聴者に放送番組の映像や録画された番組の再生映像を表示する端末であり、例えばテレビジョン受像機が映像視聴端末５０に該当する。視聴監視端末１は、映像断検知手段１１と、映像特徴量生成手段１２と、映像情報送出手段１３とを備える。映像断検知手段１１は、映像視聴端末５０の電源状態を検知し、映像視聴端末５０の電源がオン、オフのいずれであるのかを映像特徴量生成手段１２に出力する。【００６１】  映像特徴量生成手段１２には、映像視聴端末５０から映像信号が入力される。そして、映像特徴量生成手段１２は、入力された映像信号から、映像の特徴を表す情報（以下、映像特徴量と記す。）を算出する。映像特徴量生成手段１２による映像特徴量の算出方法の例については、後述する。【００６２】  映像視聴端末５０から映像特徴量生成手段１２に映像信号を入力する場合、映像視聴端末５０の映像出力端子から出力される映像信号を映像特徴量生成手段１２に入力すればよい。また、映像特徴量生成手段１２に入力される信号はアナログ信号であっても、ディジタル信号であってもよい。テレビジョン受像機などの映像視聴端末５０に設けられているアナログ映像信号の出力端子としては、例えば、コンポジット端子、Ｓ端子、コンポーネント端子、Ｄ端子等がある。映像特徴量生成手段１２は、これらの端子から映像信号を入力されればよい。また、映像特徴量生成手段１２は、映像信号の出力端子から映像信号を入力されるのではなく、映像視聴端末５０が表示した映像をカメラなどで撮影し、その撮影結果を入力されてもよい。【００６３】  また、ディジタル信号が入力される場合には、映像特徴量生成手段１２には、放送されている映像のビットストリームそのものが映像視聴端末５０から入力されてもよい。【００６４】  また、図１に示す例では、映像視聴装置５０を一つの装置として示したが、映像を表示するディスプレイ装置と、放送を受信するチューナ装置とに分離している場合もある。この場合、映像断検知手段は、ディスプレイ装置の電源状態を検知し、映像特徴量生成手段１２には、チューナ装置から映像信号が入力されればよい。【００６５】  映像特徴量生成手段１２は、入力された映像信号から算出した映像特徴量を記憶するためのバッファ１４を備える。映像情報送出手段１３は、視聴調査サーバ２に情報を送信するインタフェース部であり、バッファ１４に空き容量がなくなったときに、バッファ１４に格納されている映像特徴量を視聴調査サーバ２に送信する。【００６６】  次に、視聴調査サーバ２について説明する。視聴調査サーバ２は、番組映像特徴量記憶部２２と、視聴番組特定手段２３とを備える。番組映像特徴量記憶部２２は、放送されている各チャンネルの番組の映像から生成された映像特徴量を記憶する。番組映像特徴量記憶部２２は、視聴調査の対象となる各放送局の各番組それぞれについて、映像特徴量を記憶す���。番組映像特徴量記憶部２２は、以下のように、各番組の映像特徴量を記憶し、蓄積していけばよい。例えば、それぞれに特定の周波数が割り当てられている各放送局（各チャンネル）に対応させて、映像特徴量生成手段２１ａ〜２１ｃを設け、その映像特徴量生成手段２１ａ〜２１ｃに対応するチャンネルの映像信号を入力する。そして、各映像特徴量生成手段２１ａ〜２１ｃは、視聴監視端末１の映像特徴量生成手段１２と同様に映像特徴量を生成する。各映像特徴量生成手段２１ａ〜２１ｃは、生成した映像特徴量を番組映像特徴量記憶部２２に記憶させる。なお、映像特徴量生成手段２１ａ〜２１ｃは、視聴調査サーバ２に設けられていてもよく、あるいは、それぞれ異なる位置に設置され、生成した映像特徴量を番組映像特徴量記憶部２２にアップロードする構成であってもよい。【００６７】  また、番組映像特徴量記憶部２２は、各チャンネル毎にバッファを備え、映像特徴量生成手段２１ａ〜２１ｃから送られる映像特徴量を、それぞれ対応するバッファに記憶させる。番組映像特徴量記憶部２２内における一つのチャンネルに対応するバッファの容量は、視聴監視端末１に設けられているバッファ１４の容量と同一か、あるいはそれ以上である。【００６８】  また、図１では、３つの映像特徴量生成手段２１ａ〜２１ｃを示したが、この映像特徴量生成手段は、各放送局（各チャンネル）に対応させて設けられるので、３つに限定されるわけではない。【００６９】  視聴番組特定手段２３は、視聴監視端末１の映像情報送出手段１３から受信した映像特徴量と、番組映像特徴量記憶部２２が記憶している映像特徴量とを比較し、視聴者が視聴している番組を特定する。番組を特定することによって、視聴者が選択しているチャンネルを特定することができる。視聴番組特定手段２３は、特定結果（視聴者が視聴している番組やチャンネルの情報）を出力する。例えば、視聴調査を行う管理者の端末（図示せず）に出力する。【００７０】  以上の構成において、映像特徴量生成手段１２，２１ａ〜２１ｃおよび視聴番組特定手段２３は、例えば、プログラムに従って動作するＣＰＵによって実現される。この場合、プログラムは、ＣＰＵが備えるＲＯＭ等に予め記憶される。【００７１】  次に、動作について説明する。図２は、本実施の形態における視聴監視端末１の処理経過の例を示すフローチャートである。映像特徴量生成手段１２は、映像視聴端末５０から映像信号を逐次入力される（ステップＳ１）。また、映像断検知手段１１は、映像視聴端末５０の電源状態を検知し、検知結果を映像特徴量生成手段１２に通知する。映像特徴量生成手段１２は、この通知に基づいて映像視聴端末５０の電源がオンか否かを判定し（ステップＳ２）、映像視聴端末５０の電源がオフであればステップＳ１に戻る。【００７２】  なお、一般に映像視聴端末５０の電源がオフであれば、映像視聴端末５０から映像特徴量生成手段１２に映像信号は入力されないが、ステップＳ２でＮｏと判定された場合であってもステップＳ１で映像信号が入力される場合もある。例えば、映像断検知手段１１がディスプレイ装置の電源状態を検知し、映像特徴量生成手段１２がチューナ装置から映像信号の入力を受け付ける場合、ス���ップＳ２でＮｏと判定された場合であっても、映像特徴量生成手段１２には映像信号が入力され続ける。【００７３】  ステップＳ２において、映像視聴端末５０の電源がオンであると判定した場合、映像特徴量生成手段１２は、入力された映像信号に基づいて映像特徴量を算出する（ステップＳ３）。ステップＳ３における映像特徴量算出の例について説明する。ここでは、非特許文献１に記載されている「Ｃｏｌｏｒ  Ｌａｙｏｕｔ（以下、カラーレイアウトと記す。）」を映像特徴量とする場合を例に説明する。カラーレイアウトは、以下の式によって表される。
【数１】
2005011294.tif 000002
ここで、ｎＹは輝度成分係数の数であり、ｎＣは色差成分係数の数である。ｎＹを６とし、ｎＣを３または６とすることが好ましい。以下、ｎＹを６とし、ｎＣを３とする場合を例に説明する。また、Ｙｉ，Ｃｂｊ，Ｃｒｊは、それぞれ映像の、Ｙ、Ｃｂ、Ｃｒ成分からＤＣＴ変換（Ｄｉｓｃｒｅｔｅ  Ｃｏｓｉｎｅ  Ｔｒａｎｓｆｏｒｍ：離散コサイン変換）によって得られる係数を量子化した値である。【００７４】  映像特徴量生成手段１２に入力される映像信号は、動画として放送される映像の信号である。映像特徴量生成手段１２は、この映像信号をサンプリングして、静止画として表される映像を連続的に抽出する。そして、サンプリングして得られた映像（静止画）を分割する。ここでは、６４（８×８）個のブロックに分割する場合を例にする。映像特徴量生成手段１２は、６４個に分割した各ブロックから、Ｙ、ＣｂおよびＣｒの成分を抽出する。なお、映像がＲ、ＧおよびＢの成分で表されている場合には、Ｒ、Ｇ、Ｂ成分からＹ、Ｃｂ、Ｃｒ成分への変換式を用いて、Ｙ、Ｃｂ、Ｃｒ成分を算出すればよい。【００７５】  映像特徴量生成手段１２は、６４個の各ブロックに対応するＹ成分に対しＤＣＴ変換を行う。図３Ａは、Ｙ成分に対するＤＣＴ変換結果の例を示す。同様に、映像特徴量生成手段１２は、６４個の各ブロックに対応するＣｂ成分、Ｃｒ成分に対しても、それぞれＤＣＴ変換を行う。図３Ｂは、Ｃｂ成分に対するＤＣＴ変換結果の例を示す。図３Ｃは、Ｃｒ成分に対するＤＣＴ変換結果の例を示す。なお、図３Ａ、図３Ｂ、及び図３Ｃでは、全ての欄に係数を示していないが、６４個の各ブロック毎に係数が算出される。【００７６】  映像特徴量生成手段１２は、ジグザグスキャンによって、Ｙ成分に対するＤＣＴ変換結果から、ｎＹ個（本例では６個）の係数を取り出す。すなわち、図３Ａに示すＹ１〜Ｙ６の係数を抽出する。同様に、映像特徴量生成手段１２は、ジグザグスキャンによって、Ｃｂ成分に対するＤＣＴ変換結果から、ｎＣ個（本例では３個）の係数を取り出す。すなわち、図３Ｂに示すＣｂ１〜Ｃｂ３の係数を抽出する。さらに、映像特徴量生成手段１２は、ジグザグスキャンによって、Ｃｒ成分に対するＤＣＴ変換結果から、ｎＣ個（３個）の係数を取り出す。すなわち、図３Ｃに示すＣｒ１〜Ｃｒ３の係数を抽出する。【００７７】  続いて、映像特徴量生成手段１２は、ジグザグスキャンによって抽出した係数Ｙ１〜Ｙ６、Ｃｂ１〜Ｃｂ３、およびＣｒ１〜Ｃｒ３を量子化する。この結果、映像特徴量として、上述の式（数１）によって表されるカラーレイアウトが得られる。なお、量子化の際、直流成分（Ｙ１，Ｃｂ１，Ｃｒ１）に関しては、例えば６ビットで量子化し、交流成分（Ｙ１，Ｃｂ１，Ｃｒ１以外の係数）については、例えば５ビットで量子化すればよい。【００７８】  映像特徴量生成手段１２は、ステップＳ３で映像特徴量を算出したならば、その映像特徴量をバッファ１４に蓄積する（ステップＳ４）。続いて、映像特徴量生成手段１２は、映像特徴量をさらに記憶させることができる空き容量がバッファ１４にあるか否かを判定し（ステップＳ５）、空き容量があれば、ステップＳ１以降の処理を繰り返す。一方、バッファ１４に空き容量が��ければ、バッファ１４に蓄積した映像特徴量を、映像情報送出手段から視聴調査サーバ２の視聴番組特定手段２３に送信する（ステップＳ６）。ステップＳ６の後、映像特徴量生成手段１２は、バッファ１４内の映像特徴量をクリア（消去）し（ステップＳ７）、ステップＳ１以降の処理を繰り返す。【００７９】  続いて、視聴調査サーバ２における動作について説明する。各チャンネルに対応する個々の映像特徴量生成手段２１ａ〜２１ｃには、放送が行われている間、逐次、対応するチャンネルの映像信号が入力され、ステップＳ３と同様に映像特徴量を算出する。そして、映像特徴量生成手段２１ａ〜２１ｃは、それぞれ、番組映像特徴量記憶部２２内のバッファ（各映像特徴量生成手段に対応するチャンネル用に設けられたバッファ）に、算出した映像特徴量を記憶する。各チャンネルに対応するバッファは、新たな映像特徴量が格納される度に格納する内容が更新される。各チャンネルに対応するバッファに空き容量がなくなった場合、古い映像特徴量から順に削除し、新たな映像特徴量を記憶していく。【００８０】  視聴番組特定手段２３は、視聴監視端末１の映像情報送出手段１３から受信した映像特徴量と、番組映像特徴量記憶部２２内に蓄積された各映像特徴量との類似度を判定して、どの番組が視聴されているのかを判定する。図４は、視聴番組特定手段２３が映像特徴量を比較する状態の概念を示す説明図である。【００８１】  番組映像特徴量記憶部２２は、各チャンネル毎に、映像特徴量を格納するためのバッファを有しており、この各バッファの容量（Ｓとする）は、視聴監視端末１のバッファ１４の容量（Ｃとする）以上である。すなわち、Ｃ≦Ｓである。視聴番組特定手段２３は、番組映像特徴量記憶部２２が有する各バッファから容量Ｃ（バッファ１４の容量Ｃ）に相当する映像特徴量を抽出し、映像情報送出手段１３から受信した映像特徴量（このデータの容量はＣである。）と比較して、類似度を判定する。その類似度判定処理が終了したら、番組映像特徴量記憶部２２が有する各バッファの他の領域から容量Ｃに相当する映像特徴量を抽出し、映像情報送出手段１３から受信した映像特徴量と比較して類似度を判定する。以降同様に、番組映像特徴量記憶部２２が有するバッファから映像特徴量を抽出し、映像情報送出手段１３から受信した映像特徴量と比較して類似度を判定する処理を繰り返していく。このように、処理を繰り返すことを、「番組映像特徴量記憶部２２が有するバッファに容量Ｃの探索窓をかけ、番組映像特徴量記憶部２２が有するバッファ内で探索窓をずらしながら、類似度を判定する。」と記すことにする。【００８２】  また、映像特徴量は以下のように比較すればよい。カラーレイアウトを映像特徴量とした場合、二つの映像特徴量（カラーレイアウト）の差異（距離と呼ぶ場合もある。）は、以下のように表される。ただし、一方のカラーレイアウトを表す係数にはダッシュ（’）を設けず、他方にはダッシュ（’）を設けて表した。
【数２】
2005011294.tif 000003
また、ｗｙｉ，ｗｂｉ，ｗｒｉは、それぞれ重み係数であり、任意のものを用いてよいが、例えば、直流成分の計算を行う場合には「４」とし、第２〜３係数（Ｙ２，Ｙ３，Ｃｂ２，Ｃｂ３，Ｃｒ２，Ｃｒ３）の計算を行う場合には「２」とし、第４〜６係数（Ｙ４〜Ｙ６）の計算を行う場合には「１」とすればよい。【００８３】  視聴番組特定手段２３は、映像情報送出手段１３から受信したカラーレイアウトと、番組映像特徴量記憶部２２が有するバッファにおいて探索窓をかけた部分に含まれる全てのカラーレイアウトとの距離の平均を算出し、その距離を類似度として用いる。【００８４】  視聴番組特定手段２３は、番組映像特徴量記憶部２２が有するバッファに容量Ｃの探索窓をかけ、番組映像特徴量記憶部２２が有するバッファ内で探索窓をずらしながら、類似度を判定し、カラーレイアウトの距離がしきい値以下となる箇所（番組映像特徴量記憶部２２が有するバッファ内の箇所）を選定する。カラーレイアウトの距離がしきい値以下になる箇所が一箇所しかなければ、その箇所に記憶された映像特徴量（カラーレイアウト）の基になった番組を、視聴者が視聴している番組として特定する。また、その箇所からチャンネルを特定する。【００８５】  また、同一の番組が複数のチャンネルで同時に放送される場合や、映像の内容が異なるにも関わらず偶然映像特徴量が類似してしまう場合に、カラーレイアウトの距離がしきい値以下になる箇所が複数特定される場合がある。このような場合、視聴者の直前の視聴履歴に基づいて、現在視聴中の番組を判定すればよい。すなわち、距離がしきい値以下になる複数の箇所に基づいて特定される複数の番組の中から、前回の判定において視聴者が視聴した番組として特定された番組と同じチャンネルの番組を、視聴者が現在視聴している番組として判定すればよい。視聴者は、一般に、同じチャンネルを視聴し続ける可能性が高いと考えられるためである。また、距離がしきい値以下になる複数の箇所に基づいて特定される複数の番組の中に、前回の判定において視聴者が視聴した番組として特定された番組と同じチャンネルの番組がない場合、カラーレイアウトの距離が最も短い箇所から特定される番組を、視聴者が視聴している番組として判定すればよい。また、視聴番組特定手段２３は、その箇所からチャンネルを特定する。【００８６】  また、視聴番組特定手段２３は、カラーレイアウトの距離が最短の箇所を特定し、そのカラーレイアウトの距離がしきい値以下であれば、その箇所に記憶されたカラーレイアウトの基になった番組を、視聴者が視聴している番組として特定してもよい。さらに、その箇所からチャンネルを特定する。この番組特定方法は、処理が単純であるので、視聴番組特定手段２３の処理コストを低減することができる。【００８７】  このように本発明によれば、映像から映像特徴量を算出している。そして、視聴者が視聴している番組から算出された映像特徴量と、各番組から算出された映像特徴量とを比較して、視聴調査を行っている。従って、映像から映像特徴量が算出できればよいので、アナログ放送、ディジタル放送等の放送形態によらずに、視聴調査を行うことができる。また、視聴者が高機能携帯端末を使用しなければ��らない等の視聴者に対する制限を視聴者に課さずにすむ。また、各放送局は、番組に映像コードを付加しなくてよいので、各放送局の運用負担を軽減できる。【００８８】  また、映像に基づく映像特徴量を利用しているので、音声がない状態が続いて、音声出力の特徴がでにくいような番組であっても、視聴調査を行うことができる。【００８９】  また、映像特徴量生成手段１２は、映像視聴端末５０の電源がオフであるときには映像特徴量を算出せず、映像視聴端末５０の電源がオンであることを映像断検知手段１１が検出したときにのみ映像特徴量を算出する。従って、視聴者が映像視聴端末５０の電源をオンとしているときにだけ、効率的に視聴調査を行うことができる。【００９０】  さらに、映像視聴端末５０の電源がオンであれば、映像特徴量生成手段１２は、逐次、映像特徴量を算出し、映像情報送出手段１３は、バッファ１４に蓄積された映像特徴量を視聴番組特定手段２３に送信する。一方、映像特徴量生成手段２１ａ〜２１ｃも、放送が行われている間、逐次、対応するチャンネルの映像信号が入力され、映像特徴信号を算出して番組映像特徴量記憶部２２に記憶させる。従って、視聴者が視聴しているチャンネルおよび番組をほぼリアルタイムに特定することができる。リアルタイムに得られた視聴調査の結果を、直ちに放送局に提供することによって、放送局は、番組編成の考慮（例えば、番組編成の組み直し）を迅速に行うことができる。【００９１】  上記の説明では、映像特徴量としてカラーレイアウトを用いる場合を例に説明したが、映像特徴量として他の情報を用いてもよい。例えば、非特許文献１に記載されている「Ｍｏｔｉｏｎ  Ａｃｔｉｖｉｔｙ（以下、モーションアクティビティと記す。）」を映像特徴量として用いてもよい。モーションアクティビティは、以下の式によって表される。
【数３】
2005011294.tif 000004
ここで、強度Ｉは、領域内に含まれる全動きベクトルから標準偏差を求め、その標準偏差を量子化することによって算出される。例えば、標準偏差の低い方から高い方に５レベルに分類し、５レベルに量子化すればよい。方向Ｄは、動きベクトルの角度成分に着目し８方向（４５度刻み）に量子化した場合の最頻方向である。連続性Ｎの算出では、まず各時空間領域内に含まれる各動きベクトルの大きさを平均値以下のものを全て０とする。次に、その結果得られる０が時間方向に連続する数を集計し、その長さに応じて３段階（短い、平均的、長い）に分類する。そして、「短い」、「平均的」、「長い」と分類された頻度をそれぞれ集計する。短いものの頻度がＮ１、平均的なものの頻度がＮ２、長いものの頻度がＮ３である。また、モーションアクティビティの差異（距離と呼ぶ場合もある。）は、以下のように表される。
【数４】
2005011294.tif 000005
上式（数４）では、方向Ｄに対する連続性をＮとし、方向Ｄａに対する連続性をＮａと表している。【００９２】  カラーレイアウトやモーションアクティビティは、映像の特徴を表す映像特徴量の例示である。映像特徴量は、これらの情報に限定されない。カラーヒストグラム（色の割合をヒストグラム表現で表したもの）、画像全体の代表色、模様、エッジ分布など、カラーレイアウトやモーションアクティビティ以外にも様々な情報を映像特徴量として使用することができる。また、放送されている映像のビットストリームそのものが映像視聴端末５０から映像特徴量生成手段１２に入力される場合、そのビットストリーム全体あるいはそのビットストリームの一部を映像特徴量として使用してもよい。【００９３】  本実施の形態において、映像視聴端末５０が、映像表示端末に相当する。視聴監視端末１が、視聴調査端末に相当する。映像特徴量生成手段１２が、映像信号入力手段および映像特徴量生成手段に相当する。映像断検知手段１１が、電源状態判定手段に相当する。映像情報送出手段１３が送信手段に相当する。映像特徴量生成手段２１ａ〜２１ｃが、番組映像特徴量生成手段に相当する。番組映像特徴量記憶部２２が、番組映像特徴量記憶手段に相当する。視聴番組特定手段２３が、視聴番組特定手段に相当する。【００９４】（実施の形態２）
図５は、本発明の第２の実施の形態の構成を示すブロック図である。第１の実施の形態と同様の構成部については、図１と同一の符号を付し、説明を省略する。【００９５】  視聴監視端末１が備える映像特徴量生成手段２１２は、第１の実施の形態における映像特徴量生成手段１２と同様に、映像視聴端末５０から映像信号が入力され、映像特徴量を算出する。ただし、第１の実施の形態とは異なり、映像信号が入力された時刻（すなわち、視聴者が映像を視聴した時刻）を、映像特徴量とともにバッファ１４に格納する。映像情報送出手段２１３は、バッファ１４に空き容量がなくなったときに、バッファ１４に格納されている映像特徴量を視聴調査サーバ２に送信する。ただし、第１の実施の形態とは異なり、映像特徴量生成手段２１２がバッファ１４に記憶した時刻情報を視聴調査サーバ２の探索範囲限定手段２２４に送信し、映像特徴量を視聴調査サーバ２の視聴番組特定手段２２３に送信する。映像情報送出手段２１３は、映像特徴量を視聴番組特定手段２２３に送信するときに、その映像特徴量を算出する基となった映像信号が映像特徴量生成手段２１２に入力された時刻を探索範囲限定手段２２４に送信する。【００９６】  また、視聴調査サーバ２側において、各映像特徴量生成手段２１ａ’〜２１ｃ’は、映像特徴量だけでなく、映像信号を受信した時刻の情報も番組映像特徴量記憶部２２２に格納する。各映像特徴量生成手段２１ａ’〜２１ｃ’が、映像特徴量および映像信号受信時刻の情報を格納する領域は、第１の実施の形態と同様、各映像特徴量生成手段に対応するチャンネル用に設けられたバッファである。この結果、番組映像特徴量記憶部２２２は、調査対象となる全ての放送局の番組についての映像特徴量および受信時刻情報を、チャンネルに対応したバッファ毎に格納する。なお、映像特徴量生成手段２１ａ’〜２１ｃ’は、視聴調査サーバ２に設けられていてもよく、あるいは、それぞれ異なる位置に設置され、生成した映像特徴量を番組映像特徴量記憶部２２にアップロードする構成であってもよい。この点は、第１の実施の形態と同様である。【００９７】  視聴調査サーバ２が備える探索範囲限定手段２２４は、視聴監視端末１の映像情報送出手段２１３から受信した時刻情報と、番組映像特徴量記憶部２２２が記憶する時刻情報とに基づいて、視聴番組特定手段２２３が映像特徴量の類似度を判定する範囲を限定する。例えば、映像情報送出手段２１３から受信した時刻情報から、所定の時間さかのぼった時刻までの映像特徴量を格納した領域を、類似度判定の対象とするように限定する。【００９８】  視聴番組特定手段２２３は、探索範囲限定手段２２４が限定した範囲内で、映像特徴量の類似度を判定し、視聴者が視聴している番組を特定する。【００９９】  以上の構成において、映像特徴量生成手段２１２，２１ａ’〜２１ｃ’、視聴番組特定手段２２３および探索範囲限定手段２２４は、例えば、プログラムに従って動作するＣＰＵによって実現される。この場合、プログラムは、ＣＰＵが備えるＲＯＭ等に予め記憶される。視聴番組特定手段２２３および探索範囲限定手段２２４は、プログラムに従って動作する同一のＣＰＵによって実現されてもよい。【０１００】  次に、動作について説明する。視聴監視端末１の動作は、図２に示すフローチャートと同様の動作であるが、ステップＳ３において、映像特徴量生成手段２１２は、映像特徴量だけでなく、映像視聴端末５０から映像信号を受信した時刻（視聴者が映像を視聴した時刻）もバッファ１４に記憶させる。また、ステップＳ６において、映像情報送出手段２１３は、バッファ１４に格納された映像特徴量を視聴番組特定手段２２３に送信し、その映像特徴量に対応する時刻の情報を探索範囲限定手段２２４に送信する。【０１０１】  既に説明したように、番組映像特徴量記憶部２２２は、調査対象となる全ての放送局の番組についての映像特徴量および受信時刻情報を、チャンネルに対応したバッファ毎に格納する。また、この受信時刻は、各映像特徴量生成手段２１ａ’〜２１ｃ’が映像信号を受信した時刻であり、すなわち、実際に番組が放送された時刻である。また、番組映像特徴量記憶部２２２が備える各チャンネルに対応するバッファは、新たな映像特徴量が格納される度に格納する内容が更新される。また、この各バッファは、ある一定期間に放送された番組の映像特徴量および受信時刻をまとめて格納できるように構成される。例えば、１日分の番組の映像特徴量および受信時刻をまとめて格納できるように構成される。個々のバッファにおいて、空き容量がなくなった場合、例えば、古い情報から順に削除し、新たな情報を記憶していく。すなわち、例えば、ファーストインファーストアウト方式で映像特徴量および時刻情報を記憶していく。【０１０２】  例えば、番組映像特徴量記憶部２２２の各バッファが１日分の番組の映像特徴量を記憶した場合、視聴者が現在視聴している番組と、１日前までに放送された番組の映像特徴量との類似度の判定が可能になる。従って、録画した番組を再生して視聴している場合であっても、その番組の視聴調査を行えるようになる。【０１０３】  探索範囲限定手段２２４は、映像情報送出手段２１３から時刻情報を受信すると、その時刻から所定時間（例えば、１０秒）さかのぼった時刻までに対応する映像特徴量を格納した領域を、類似度の判定範囲として限定する。例えば、映像情報送出手段２１３から「Ｐ時Ｑ分３０秒」という時刻情報を受信した場合、探索範囲限定手段２２４は、番組映像特徴量記憶部２２２が記憶する映像特徴量のうち、「Ｐ時Ｑ分２０秒」から「Ｐ時Ｑ分３０秒」までの映像特徴量を格納した領域を、類似度の判定範囲として限定する。【０１０４】  視聴番組特定手段２２３は、探索範囲限定手段２２４が限定した領域内で、その領域内に記憶されている映像特徴量と、映像情報送出手段２１３から受信した映像特徴量との類似度を判定する。そして、類似度が予め定めたレベルより高い（例えば、カラーレイアウトの距離が所定のしきい値以下）になっている箇所を特定する。具体的には、第１の実施の形態と同様に、番組映像特徴量記憶部２２が有するバッファに容量Ｃの探索窓をかけ、番組映像特徴量記憶部２２２が有するバッファ内で探索窓をずらしながら、類似度を判定すればよい。ただし、探索範囲限定手段２２４が限定した領域内でのみ、探索窓をずらして、類似度を判定する。【０１０５】  類似度が予め定めたレベルより高い��所が一箇所しかなければ、その箇所に記憶された映像特徴量の基になった番組を、視聴者が視聴している番組として特定する。また、その箇所からチャンネルを特定する。【０１０６】  また、同一の番組が複数のチャンネルで同時に放送される場合や、映像の内容が異なるにも関わらず偶然映像特徴量が類似してしまう場合に、類似度が予め定めたレベルより高い箇所が複数特定される場合がある。このような場合、視聴者の直前の視聴履歴に基づいて、現在視聴中の番組を判定すればよい。すなわち、類似度が高い複数の箇所に基づいて特定される複数の番組の中から、前回の判定において視聴者が視聴した番組として特定された番組と同じチャンネルの番組を、視聴者が現在視聴している番組として判定すればよい。視聴者は、一般に、同じチャンネルを視聴し続ける可能性が高いと考えられるためである。また、類似度が高い複数の箇所に基づいて特定される複数の番組の中に、前回の判定において視聴者が視聴した番組として特定された番組と同じチャンネルの番組がない場合、類似度が最も高い箇所から特定される番組を、視聴者が視聴している番組として判定すればよい。また、視聴番組特定手段２２３は、その箇所からチャンネルを特定する。【０１０７】  探索範囲限定手段２２４が、映像情報送出手段２１３から受信した時刻の１０秒前の時刻までに対応する映像特徴量を格納した領域を、類似度の判定範囲として限定したとする。この場合、視聴者のいる場所と、各映像特徴量生成手段２１ａ’〜２１ｂ’の設置場所に対して放送電波が到達する時間に１０秒程度の遅延が生じたとしても、正確に視聴調査を行うことができる。また、ここでは、探索範囲限定手段２２４が、映像情報送出手段２１３から受信した時刻の１０秒前の時刻までに対応する映像特徴量を格納した領域を、類似度の判定範囲として限定する場合を示したが、ここに示した「１０秒」は例示である。例えば、映像情報送出手段２１３から受信した時刻の１時間前、１日前、または１週間前等、長時間に渡る範囲を類似度の判定範囲としてもよい。この場合、既に説明したように、１週間前（あるいは、１日前、１時間前）等に録画した番組を再生して視聴している場合であっても、その番組の特定することができる。このように、現在放送されている番組でなくても、視聴者が視聴している番組を特定することができる。【０１０８】  本実施の形態において、映像視聴端末５０が、映像表示端末に相当する。視聴監視端末１が、視聴調査端末に相当する。映像特徴量生成手段２１２が、映像信号入力手段および映像特徴量生成手段に相当する。映像断検知手段１１が、電源状態判定手段に相当する。映像情報送出手段１３が送信手段に相当する。映像特徴量生成手段２１ａ’〜２１ｃ’が、番組映像特徴量生成手段に相当する。番組映像特徴量記憶部２２２が、番組映像特徴量記憶手段に相当する。視聴番組特定手段２３が、視聴番組特定手段に相当する。探索範囲限定手段２２４が、第１の類似度判定処理対象限定手段に相当する。【０１０９】（実施の形態３）
図６は、本発明の第３の実施の形態の構成を示すブロック図である。第１の実施の形態と同様の構成部については、図１と同一の符号を付し、説明を省略する。【０１１０】  視聴監視端末１が備える映像情報送出手段３１３は、第１の実施の形態における映像情報送出手段１３と同様に、映像特徴量を視聴調査サーバ２に送信する。ただし、視聴番組特定手段３２３に映像特徴量を送信するだけでなく、視聴監視端末の位置情報（この位置情報は、映像視聴端末５０の位置情報と同一である。）を視聴調査サーバ２の視聴番組限定手段３２４に送信する。【０１１１】  映像情報送出手段３１３は、例えば、予め位置情報を記憶した記憶媒体を備え、映像特徴量を送信する際に、その記憶媒体から位置情報を読み込んで視聴番組限定手段３２４に送信してもよい。あるいは、視聴監視端末１がＧＰＳ（Ｇｌｏｂａｌ  Ｐｏｓｉｔｉｏｎｉｎｇ  Ｓｙｓｔｅｍ）アンテナおよびＧＰＳ信号による位置算出部（図示せず。）を備え、その位置算出部がＧＰＳアンテナに受信した信号に基づいて位置情報を算出する構成としてもよい。この場合、映像情報送出手段３１３は、映像特徴量を送信する際に、位置算出部が算出した位置情報を視聴番組限定手段３２４に送信すればよい。【０１１２】  また、視聴調査サーバ２において、受信可能チャンネルリスト記憶部３２５は、各位置で受信可能なチャンネルの一覧テーブルを記憶する。視聴番組限定手段３２４は、視聴監視端末１の映像情報送信手段３１３から位置情報を受信すると、その位置情報と受信可能チャンネルリスト記憶部３２５が記憶している一覧テーブルとに基づいて、視聴監視端末１および映像視聴端末５０の設置位置で受信できるチャンネルの一覧情報を、視聴番組特定手段３２３に出力する。【０１１３】  視聴番組特定手段３２３は、番組映像特徴量記憶部２２が備える各バッファの中から、視聴番組限定手段３２４が一覧情報として出力したチャンネルに対応するバッファを特定する。そして、そのバッファに格納されている映像特徴量と、視聴監視端末１の映像情報送出手段３１３から受信した映像特徴量とを比較し、類似度を判定する。そして、類似度が予め定めたレベルより高い（例えば、カラーレイアウトの距離が所定のしきい値以下）になっている箇所を特定する。その箇所に記憶された映像特徴量の基になった番組を特定する。また、その箇所からチャンネルを特定する。【０１１４】  視聴番組特定手段３２３が、類似度を判定して番組およびチャンネルを特定する処理は、類似度の判定対象のバッファが、番組映像特徴記憶部２２のバッファのうち、映像視聴端末５０が受信可能なチャンネルに対応するバッファに限定されている点を除けば、第１の実施例における視聴番組特定手段２３の処理と同様である。【０１１５】  以上の構成において、映像特徴量生成手段１２，２１ａ〜２１ｃ、視聴番組特定手段３２３および視聴番組限定手段３２４は、例えば、プログラムに従って動作するＣＰＵによって実現される。この場合、プログラムは、ＣＰＵが備えるＲＯＭ等に予め記憶される。視聴番組特定手段３２３および視聴番組限定手段３２４は、プログラムに従って動作する同一のＣＰＵによって実現されてもよい。【０１１６】  第３の実施の形態によれば、番組映像特徴記憶部２２が有する全バッファに対して類似度の判定を行う必要がなく、映像視聴端末５０が受信可能なチャンネルに対応するバッファに格納された映像特徴量のみを類似度の判定対象とすればよい。従って、類似度の判定精度を落とさないで、類似度の判定処理の負荷を低くすることができる。【０１１７】  本実施の形態において、映像視聴端末５０が、映像表示端末に相当する。視聴監視端末１が、視聴調査端末に相当する。映像特徴量生成手段１２が、映像信号入力手段および映像特徴量生成手段に相当する。映像断検知手段１１が、電源状態判定手段に相当する。映像情報送出手段３１３が送信手段に相当する。映像特徴量生成手段２１ａ〜２１ｃが、番組映像特徴量生成手段に相当する。番組映像特徴量記憶部２２が、番組映像特徴量記憶手段に相当する。視聴番組特定手段３２３が、視聴番組特定手段に相当する。受信可能チャンネルリスト記憶部３２５が、チャンネル情報記憶手段に相当する。視聴番組限定手段３２４が、第２の類似度判定処理対象限定手段に相当する。【０１１８】（実施の形態４）
図７は、本発明の第４の実施の形態の構成を示すブロック図である。第１の実施の形態から第３の実施の形態のいずれかと同様の構成部については、図１、図５または図６と同一の符号を付し、説明を省略する。【０１１９】  視聴監視端末１が備える映像情報送出手段４１３は、第１の実施の形態における映像情報送出手段１３と同様に、映像特徴量を視聴調査サーバ２に送信する。ただし、視聴番組特定手段４２３に映像特徴量を送信するだけでなく、視聴監視端末の位置情報（この位置情報は、映像視聴端末５０の位置情報と同一である。）を視聴調査サーバ２の視聴番組限定手段３２４に送信する。さらに、映像特徴量生成手段２１２に映像信号が入力された時刻の情報を、視聴調査サーバ２の探索範囲限定手段４２４に送信する。【０１２０】  映像情報送出手段４１３が探索範囲限定手段４２４に時刻情報を送信する処理は、第２の実施の形態と同様である。すなわち、映像特徴量生成手段２１２が映像特徴量をバッファ１４に記憶させる際、その映像特徴量の基となった映像信号が入力された時刻の情報も映像特徴量とともに記憶させる。そして、映像情報送出手段４１３が映像特徴量を送信する際、バッファ１４からその時刻の情報も読み出して、探索範囲限定手段４２４に送信すればよい。【０１２１】  また、映像情報送出手段４１３が視聴番組限定手段３２４に位置情報を送信する処理は、第３の実施の形態と同様である。映像情報送出手段４１３が、予め位置情報を記憶した記憶媒体を備え、その記憶媒体から位置情報を読み出して送信してもよい。あるいは、ＧＰＳ信号に基づいて位置情報を算出して、その位置情報を視聴番組限定手段３２４に送信する構成であってもよい。【０１２２】  番組映像特徴量記憶部２２２は、第２の実施の形態と同様に、調査対象となる全ての放送局の番組についての映像特徴量および受信時刻情報（映像特徴量生成手段２１ａ’〜２１ｃ’が映像信号を受信した時刻の情報）を、チャンネルに対応したバッファ毎に格納する。【０１２３】  視聴番組限定手段３２４は、視聴監視端末１の映像情報送信手段４１３から位置情報を受信すると、その位置情報と受信可能チャンネルリスト記憶部３２５が記憶している一覧テーブルとに基づいて、視聴監視端末１および映像視聴端末５０の設置位置で受信できるチャンネルの一覧情報を、探索範囲限定手段４２４に出力する。【０１２４】  探索範囲限定手段４２４は、番組映像特徴量記憶部２２２が備える各バッファの中から、視聴番組限定手段３２４が一覧情報として出力したチャンネルに対応するバッファを特定する。さらに、探索範囲限定手段４２４は、その特定したバッファにおいて、映像情報送出手段４１３から受信した時刻情報の時刻から所定時間さかのぼった時刻までに対応する映像特徴量を格納した領域を、類似度の判定範囲として限定する。【０１２５】  視聴番組特定手段４２３は、探索範囲限定手段４２４が限定した領域内で、その領域内に記憶されている映像特徴量と、映像情報送出手段４１３から受信した映像特徴量との類似度を判定する。そして、類似度が予め定めたレベルより高い（例えば、カラーレイアウトの距離が所定のしきい値以下）になっている箇所を特定する。さらに、視聴番組特定���段４２３は、その箇所に記憶されている映像特徴量の基となった番組およびチャンネルを特定する。視聴番組特定手段４２３の処理は、第２の実施の形態における視聴番組特定手段２２３の処理と同様の処理である。【０１２６】  以上の構成において、映像特徴量生成手段２１２，２１ａ’〜２１ｃ’、視聴番組特定手段４２３、探索範囲限定手段４２４および視聴番組限定手段３２４は、例えば、プログラムに従って動作するＣＰＵによって実現される。この場合、プログラムは、ＣＰＵが備えるＲＯＭ等に予め記憶される。視聴番組特定手段４２３、探索範囲限定手段４２４および視聴番組限定手段３２４は、プログラムに従って動作する同一のＣＰＵによって実現されてもよい。【０１２７】  本実施の形態によれば、第３の実施の形態と同様に、類似度の判定精度を落とさないで、類似度の判定処理の負荷を低くすることができる。また、第２の実施の形態と同様に、視聴者のいる場所と、各映像特徴量生成手段２１ａ’〜２１ｂ’の設置場所に対して放送電波が到達する時間に遅延が生じたとしても、正確に視聴調査を行えることができる。さらに、録画した番組を再生して視聴している場合であっても、その番組の特定することができる等、現在放送されている番組でなくても、視聴者が視聴している番組を特定することができる。【０１２８】  本実施の形態において、映像視聴端末５０が、映像表示端末に相当する。視聴監視端末１が、視聴調査端末に相当する。映像特徴量生成手段２１２が、映像信号入力手段および映像特徴量生成手段に相当する。映像断検知手段１１が、電源状態判定手段に相当する。映像情報送出手段４１３が送信手段に相当する。映像特徴量生成手段２１ａ’〜２１ｃ’が、番組映像特徴量生成手段に相当する。番組映像特徴量記憶部２２２が、番組映像特徴量記憶手段に相当する。視聴番組特定手段４２３が、視聴番組特定手段に相当する。受信可能チャンネルリスト記憶部３２５が、チャンネル情報記憶手段に相当する。探索範囲限定手段４２４が、第１の類似度判定処理対象限定手段に相当する。視聴番組限定手段３２４が、第２の類似度判定処理対象限定手段に相当する。【０１２９】（実施の形態５）
図８は、本発明の第５の実施の形態の構成を示すブロック図である。第１の実施の形態と同様の構成部については、図１と同一の符号を付し、説明を省略する。本実施の形態は、第１の実施の形態ないし第４の実施の形態とは異なり、視聴調査サーバ２を含まない。【０１３０】  視聴監視端末１は、映像視聴端末５０に設置される。視聴監視端末１は、映像断検知手段１１と、映像特徴量生成手段１２とを備える。この他、視聴監視端末１は、番組映像特徴量記憶部２２と、視聴番組特定手段２３とを備える。番組映像特徴量記憶部２２および視聴番組特定手段２３は、第１の実施の形態において、視聴調査サーバ２が備えていた番組映像特徴量記憶部２２および視聴番組特定手段２３と同様の構成部である。さらに、視聴監視端末１は、映像特徴量生成手段２１ａ〜２１ｃを備える。この映像特徴量生成手段２１ａ〜２１ｃは、第１の実施の形態における映像特徴量生成手段２１ａ〜２１ｃと同様の構成部である。【０１３１】  また、視聴監視端末１は、特定結果送出手段５１３を備える。特定結果送出手段５１３は、視聴番組特定手段２３によって特定された情報（すなわち、視聴者が視聴している番組やチャンネルの情報）を外部に送信するインタフェース部である。特定結果送出手段５１３は、視聴者が視聴している番組やチャンネルの情報を、例えば、視聴調査を行う管理者の端末（図示せず。）に出力する。【０１３２】  視聴監視端末１の映像断検知手段１１および映像特徴量生成手段１２の処理経過は、図２のフローチャートに示す処理経過と同様である。ただし、第１の実施の形態では、ステップＳ６において、映像特徴量生成手段１２が、映像情報送出手段１３から視聴調査サーバ２に映像特徴量を送信していた。これに対し、本実施の形態では、図２に示すフローチャートのステップＳ６において、映像特徴量生成手段１２が視聴監視端末１内に備えられる視聴番組特定手段２３に映像特徴量を送信する。【０１３３】  また、映像視聴端末５０がどのチャンネルの番組を受信しているかによらず、各チャンネルに対応する個々の映像特徴量生成手段２１ａ〜２１ｃには、放送が行われている間、逐次、対応するチャンネルの映像信号が入力される。そして、各映像特徴量生成手段２１ａ〜２１ｃは、第１の実施の形態と同様に映像特徴量を算出し、それぞれ、番組映像特徴量記憶部２２内のバッファ（各映像特徴量生成手段に対応するチャンネル用に設けられたバッファ）に、算出した映像特徴量を記憶する。【０１３４】  視聴番組特定手段２３は、映像特徴量生成手段１２から受信する映像特徴量と、番組映像特徴量記憶部２２内のバッファに格納された映像特徴量とを比較し、類似度を判定して、視聴者が視聴している番組およびチャンネルを特定する。視聴番組特定手段２３が類似度を判定して、番組およびチャンネルを特定する処理は、第１の実施の形態における視聴番組特定手段２３の処理と同様である。【０１３５】  視聴番組特定手段２３が、視聴者が視聴している番組およびチャンネルを特定したならば、特定結果送出手段５１３は、その特定結果の情報を、例えば、視聴調査を行う管理者の端末（図示せず。）に出力する。【０１３６】  本実施の形態において、映像特徴量生成手段１���，２１ａ〜２１ｃおよび視聴番組特定手段２３は、例えば、プログラムに従って動作するＣＰＵによって実現される。この場合、プログラムは、ＣＰＵが備えるＲＯＭ等に予め記憶される。映像特徴量生成手段１２および視聴番組特定手段２３は、プログラムに従って動作する同一のＣＰＵによって実現されてもよい。【０１３７】  本実施の形態では、第１の実施の形態と同様の効果が得られる。すなわち、本実施の形態では、映像から映像特徴量を算出し、視聴者が視聴している番組から算出された映像特徴量と、各番組から算出された映像特徴量とを比較して、視聴調査を行っている。従って、映像から映像特徴量が算出できればよいので、アナログ放送、ディジタル放送等の放送形態によらずに、視聴調査を行うことができる。また、視聴者が高機能携帯端末を使用しなければならない等の視聴者に対する制限を視聴者に課さずにすむ。また、各放送局は、番組に映像コードを付加しなくてよいので、各放送局の運用負担を軽減できる。【０１３８】  また、映像に基づく映像特徴量を利用しているので、音声がない状態が続いて、音声出力の特徴がでにくいような番組であっても、視聴調査を行うことができる。【０１３９】  また、映像特徴量生成手段１２は、映像視聴端末５０の電源がオフであるときには映像特徴量を算出せず、映像視聴端末５０の電源がオンであることを映像断検知手段１１が検出したときにのみ映像特徴量を算出する。従って、視聴者が映像視聴端末５０の電源をオンとしているときにだけ、効率的に視聴調査を行うことができる。【０１４０】  さらに、映像視聴端末５０の電源がオンであれば、映像特徴量生成手段１２は、逐次、映像特徴量を算出し、バッファ１４に蓄積された映像特徴量を視聴番組特定手段２３に送信する。一方、映像特徴量生成手段２１ａ〜２１ｃも、放送が行われている間、逐次、対応するチャンネルの映像信号が入力され、映像特徴信号を算出して番組映像特徴量記憶部２２に記憶させる。従って、視聴者が視聴しているチャンネルおよび番組をほぼリアルタイムに特定することができる。【０１４１】  第５の実施の形態では、視聴監視端末１が、第２の実施の形態における探索範囲限定手段２２４を備えていてもよい。この場合、映像特徴量生成手段１２が、映像特徴量を視聴番組特定手段２３に送信する際に、その映像特徴量を算出する基になった映像信号が映像特徴量生成手段１２に入力された時刻を探索範囲限定手段２２４に送信する。探索範囲限定手段２２４は、第２の実施の形態と同様に、その時刻から所定時間さかのぼった時刻までに対応する映像特徴量を格納した領域を、類似度の判定範囲として限定する。視聴番組特定手段２３は、探索範囲限定手段２２４によって限定された範囲で、類似度の判定を行い、番組やチャンネルの特定を行えばよい。このような構成にすれば、第２の実施の形態と同様の効果も得られる。【０１４２】  本実施の形態において、映像視聴端末５０が、映像表示端末に相当する。視聴監視端末１が、視聴調査端末に相当する。映像特徴量生成手段１２が、映像信号入力手段および映像特徴量生成手段に相当する。映像断検知手段１１が、電源状態判定手段に相当する。映像特徴量生成手段２１ａ〜２１ｃが、番組映像���徴量生成手段に相当する。番組映像特徴量記憶部２２が、番組映像特徴量記憶手段に相当する。視聴番組特定手段２３が、視聴番組特定手段に相当する。また、探索範囲限定手段２２４を備える構成とした場合、探索範囲限定手段２２４は、類似度判定処理対象限定手段に相当する。【０１４３】（実施の形態６）
図９は、本実施の第６の実施の形態の構成を示すブロック図である。第１の実施の形態と同様の構成部については、図１と同一の符号を付し、説明を省略する。【０１４４】  視聴監視端末１は、映像情報送出手段６１３と映像断検知手段１１を備える。映像情報送出手段６１３には、第１の実施の形態における映像特徴量生成手段１２と同様に、映像視聴端末５０から、視聴者が視聴している映像の映像信号が入力される。映像情報送出手段６１３は、映像視聴端末５０から入力される映像信号をサンプリングし、視聴調査サーバ２の映像特徴量生成手段６１２に送信する。映像情報送出手段６１３は、このときストリーミング技術などを利用して、映像信号を映像特徴量生成手段６１２に送信することができる。また、映像情報送出手段６１３は、映像信号が表す画像の画像サイズを縮小してから映像特徴量生成手段６１２に送信してもよい。このように送信すれば、視聴監視端末１から視聴調査サーバ２に送信するデータ量を削減することができる。【０１４５】  なお、映像断検知手段１１は、映像視聴端末５０の電源状態を検知し、検知結果を映像情報送出手段６１３に通知する。映像情報送出手段６１３は、映像視聴端末５０の電源がオンである場合にのみ、映像信号（サンプリングした映像信号）を映像特徴量生成手段６１２に送信する。【０１４６】  視聴調査サーバ２は、映像特徴量生成手段６１２と、視聴番組特定手段２３と、番組映像特徴量記憶部２２とを備える。視聴番組特定手段２３および番組映像特徴量記憶部２２は、第１の実施の形態における視聴番組特定手段２３および番組映像特徴量記憶部２２と同様の構成部である。また、番組映像特徴量記憶部２２に映像特徴量を格納する各映像特徴量生成手段２１ａ〜２２ｃの動作も、第１の実施の形態における各映像特徴量生成手段２１ａ〜２２ｃの動作と同様である。【０１４７】  映像特徴量生成手段６１２は、映像情報送出手段６１３から映像信号を受信すると、その映像信号に基いて映像特徴量を算出し、バッファ１４に格納する。さらに映像特徴量を記憶させることができる空き容量がバッファ１４上に存在しなくなったら、映像特徴量生成手段６１２は、バッファに格納した映像特徴量を視聴番組特定手段２３に出力し、バッファ１４内の映像特徴量をクリアする。【０１４８】  視聴番組特定手段２３は、映像特徴量生成手段６１２から受信する映像特徴量と、番組映像特徴量記憶部２２内のバッファに格納された映像特徴量とを比較し、類似度を判定して、視聴者が視聴している番組およびチャンネルを特定する。この処理は、第１の実施の形態における視聴番組特定手段２３の処理と同様である。【０１４９】  本実施の形態において、映像特徴量生成手段６１２，２１ａ〜２１ｃおよび視聴番組特定手段２３は、例えば、プログラムに従って動作するＣＰＵによって実現される。この場合、プログラムは、ＣＰＵが備えるＲＯＭ等に予め記憶される。映像特徴量生成手段６１２および視聴番組特定手段２３は、プログラムに従って動作する同一のＣＰＵによって実現されてもよい。【０１５０】  本実施の形態においても、第１の実施の形態と同様の効果が得られる。【０１５１】  第６の実施の形態では、視聴調査サーバ２が、第２の��施の形態における探索範囲限定手段２２４を備えていてもよい。この場合、映像情報送出手段６１３が、映像信号を映像特徴量生成手段６１２に送信する際、その映像信号が映像情報送出手段６１３に入力された時刻を探索範囲限定手段２２４に送信する。探索範囲限定手段２２４は、第２の実施の形態と同様に、その時刻から所定時間さかのぼった時刻までに対応する映像特徴量を格納した領域を、類似度の判定範囲として限定する。視聴番組特定手段２３は、探索範囲限定手段２２４によって限定された範囲で、類似度の判定を行い、番組やチャンネルの特定を行えばよい。このような構成にすれば、第２の実施の形態と同様の効果も得られる。【０１５２】  さらに、第６の実施の形態では、視聴調査サーバ２が、第３の実施の形態における受信可能チャンネルリスト記憶部３２５と、視聴番組限定手段３２４とを備えていてもよい。この場合、映像情報送出手段６１３は、第３の実施の形態と同様に、映像視聴端末５０の位置情報を視聴番組限定手段３２４に送信する。位置情報は、予め記憶していてもよいし、ＧＰＳ信号を利用して算出してもよい。視聴番組限定手段３２４は、第３の実施の形態と同様に、位置情報を受信すると、その位置情報と受信可能チャンネルリスト記憶部３２５が記憶している一覧テーブルとに基づいて、視聴監視端末１および映像視聴端末５０の設置位置で受信できるチャンネルの一覧情報を、視聴番組特定手段２３に出力する。視聴番組特定手段２３は、番組映像特徴量記憶部２２が備えるバッファの中から、視聴番組限定手段３２４が一覧情報として出力したチャンネルに対応するバッファを特定する。そして、そのバッファに格納されている映像特徴量と、視聴監視端末１の映像情報送出手段３１３から受信した映像特徴量とを比較し、類似度を判定する。このような構成にすれば、第３の実施の形態と同様の効果も得られる。【０１５３】  本実施の形態において、映像視聴端末５０が、映像表示端末に相当する。視聴監視端末１が、視聴調査端末に相当する。映像情報送出手段６１３が、映像送信手段に相当する。映像断検知手段１１が、電源状態判定手段に相当する。映像特徴量生成手段２１ａ〜２１ｃが、番組映像特徴量生成手段に相当する。番組映像特徴量記憶部２２が、番組映像特徴量記憶手段に相当する。視聴番組特定手段２３が、視聴番組特定手段に相当する。また、探索範囲限定手段２２４を備える構成とした場合、探索範囲限定手段２２４は、第１の類似度判定処理対象限定手段に相当する。また、受信可能チャンネルリスト記憶部３２５および視聴番組限定手段３２４を備える構成とした場合、受信可能チャンネルリスト記憶部３２５は、チャンネル情報記憶手段に相当し、視聴番組限定手段３２４は、第１の類似度判定処理対象限定手段に相当する。【０１５４】  なお、第２の実施の形態から第６の実施の形態においても、映像特徴量として、第１の実施の形態と同様に、カラーレイアウトやモーションアクティビティ等、様々な情報を用いることができる。【０１５５】  また、上記第１の実施の形態から上記第６の実施の形態では、多数の映像監視端末１より視聴結果を集計することで、テレビジョン放送の視聴率調査を行うことができる。
【産業上の利用可能性】
【０１５６】  本発明は、アナログ放送、ディジタル放送の双方に対応した視聴調査システムや視聴調査端末に利用することが可能である。また、テレビジョン放送の視聴率調査をリアルタイムに（即時的に）行い、番組編成の組み直し等を迅速に行うためのシステムに利用することができる。また、現在放送されている番組でなくても、視聴者が視聴している番組を特定することができるシステムに利用することができる。さらに、テレビジョン放送のかわりにインターネット経由でアクセスできるストリーミング放送を受信することによりストリーミング放送の視聴調査にも利用可能である。
【図面の簡単な説明】
【０１５７】
【図１】図１は、本発明の第１の実施の形態の構成を示すブロック図である。
【図２】図２は、第１の実施の形態における視聴監視端末の処理経過の例を示すフローチャートである。
【図３Ａ】図３Ａは、Ｙ成分に対するＤＣＴ変換結果の例を示す説明図である。
【図３Ｂ】図３Ｂは、Ｃｂ成分に対するＤＣＴ変換結果の例を示す説明図である。
【図３Ｃ】図３Ｃは、Ｃｒ成分に対するＤＣＴ変換結果の例を示す説明図である。
【図４】図４は、視聴番組特定手段が映像特徴量を比較する状態の概念を示す説明図である。
【図５】図５は、本発明の第２の実施の形態の構成を示すブロック図である。
【図６】図６は、本発明の第３の実施の形態の構成を示すブロック図である。
【図７】図７は、本発明の第４の実施の形態の構成を示すブロック図である。
【図８】図８は、本発明の第５の実施の形態の構成を示すブロック図である。
【図９】図９は、本実施の第６の実施の形態の構成を示すブロック図である。
【符号の説明】
【０１５８】  １    視聴調査端末
２    視聴調査サーバ
１１  映像断検知手段
１２  映像特徴量生成手段
１３  映像情報送出手段
１４  バッファ
２１ａ〜２１ｃ  映像特徴量生成手段
２２  番組映像特徴量記憶部
２３  視聴番組特定手段
【図１】
2005011294.tif 000006
【図２】
2005011294.tif 000007
【図３Ａ】
2005011294.tif 000008
【図３Ｂ】
2005011294.tif 000009
【図３Ｃ】
2005011294.tif 000010
【図４】
2005011294.tif 000011
【図５】
2005011294.tif 000012
【図６】
2005011294.tif 000013
【図７】
2005011294.tif 000014
【図８】
2005011294.tif 000015
【図９】
2005011294.tif 000016
【手続補正書】
【提出日】平成16年12月24日(2004.12.24)
【手続補正００１】
【補正対象書類名】特許請求の範囲
【補正対象項目名】請求の範囲
【補正方法】変更
【補正の内容】
【書類名】請求の範囲
【請求項１】（削除）
【請求項２】（削除）
【請求項３】（削除）
【請求項４】（補正後）放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部と
を具備し、
前記視聴調査端末は、
前記映像表示端末が表示する映像の映像信号が前記映像表示端末から入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を前記視聴調査サーバに送信する送信部と
を備え、
前記視聴調査サーバは、
前記番組映像特徴量生成部が生成した映像特徴量を記憶する番組映像特徴量記憶部と、
前記送信部によって送信された映像特徴量と、前記番組映像特徴量記憶部が記憶する各映像特徴量との類似度を判定することによって、前記映像表示端末が表示している番組または前記番組を放送しているチャンネルを特定する視聴番組特定部と
を備え、
前記視聴調査端末は更に、前記映像表示端末の電源がオンであるかオフであるかを判定する電源状態判定部を備え、
前記映像特徴量生成部は、前記映像表示端末の電源がオンであると判定された場合に、前記映像表示端末が表示する映像の映像特徴量を生成し、
前記送信部は、前記映像表示端末から前記映像信号入力部に映像信号が入力された時刻の情報を、前記映像信号に基づいて生成された映像特徴量とともに前記視聴調査サーバに送信し、
前記番組映像特徴量生成部は、番組の映像信号を受信した時刻の情報を、前記映像信号に基づいて生成した映像特徴量とともに前記番組映像特徴量記憶部に記憶させ、
前記視聴調査サーバはさらに、前記送信部から受信した時刻の情報と、前記番組映像特徴量記憶部が記憶する時刻の情報とに基づいて、前記視聴番組特定部による類似度の判定処理対象を定める第１の類似度判定処理対象限定部を備える
視聴調査システム。
【請求項５】（補正後）前記番組映像特徴量記憶部は、前記番組映像特徴量生成部が生成した映像特徴量をチャンネル毎に記憶し、
前記送信部は、映像表示端末の位置を示す位置情報を、映像特徴量とともに前記視聴調査サーバに送信し、
前記視聴調査サーバは更に、各位置で受信可能なチャンネルの一覧情報を記憶するチャンネル情報記憶部と、
前記送信部から受信した前記映像表示端末の位置情報と前記一覧情報とに基づいて、前記映像表示端末が受信可能なチャンネルを特定することにより、視聴番組特定部による類似度の判定処理対象を定める第２の類似度判定処理対象限定部と
を備えた
請求項４に記載された視聴調査システム。
【請求項６】（削除）
【請求項７】（削除）
【請求項８】（補正後）放送される番組の映像を表示する映像表示端末から前記映像の映像信号が入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を、前記映像特徴量に基づいて前記映像に対応する番組またはその番組を放送しているチャンネルを特定する前記視聴調査サーバに送信する送信部と
を具備し、
前記映像表示端末の電源がオンであるかオフであるかを判定する電源状態判定手段を備え、
前記映像特徴量生成部は、映像表示端末の電源がオンであると判定された場合に、前記映像表示端末が表示する映像の映像特徴量を生成し、
前記送信部は、前記映像表示端末から前記映像信号入力部に映像信号が入力された時刻の情報を、前記映像信号に基づいて生成された映像特徴量とともに前記視聴調査サーバに送信する
視聴調査端末。
【請求項９】（補正後）前記送信部は、前記映像表示端末の位置を示す位置情報を、前記映像信号に基づいて生成された映像特徴量とともに前記視聴調査サーバに送信する請求項８に記載された視聴調査端末。
【請求項１０】（削除）
【請求項１１】（補正後）各チャンネルで放送されている番組の映像信号に基づいて、映像の特徴を表す情報である映像特徴量を各チャンネルの各番組毎に生成する番組映像特徴量生成部と、
前記番組映像特徴量生成手段が生成した映像特徴量を記憶する番組映像特徴量記憶部と、
放送される番組の映像を表示する映像表示端末に設置される視聴調査端末から、前記映像表示端末が表示した映像の特徴を表す情報である映像特徴量を受信し、受信した前記映像特徴量と、前記番組映像特徴量記憶部が記憶する各映像特徴量との類似度を判定することによって、前記映像表示端末が表示している番組または前記番組を放送しているチャンネルを特定する視聴番組特定部と
を具備し、
前記番組映像特徴量記憶部は、前記番組映像特徴量生成部が番組の映像信号を受信した時刻の情報を、前記映像信号に基づいて生成した映像特徴量とともに記憶し、
更に、前記視聴調査端末から、前記映像表示端末が映像信号を受信した時刻の情報と、前記映像信号に基づいて生成された映像特徴量とを受信し、受信した時刻の情報と、前記番組映像特徴量記憶部が記憶する時刻の情報とに基づいて、視聴番組特定部による類似度の判定処理対象を定める第１の類似度判定処理対象限定部を備えた
請求項１０に記載された視聴調査サーバ。
【請求項１２】（補正後）前記番組映像特徴量記憶部は、前記番組映像特徴量生成部が生成した映像特徴量をチャンネル毎に記憶し、
更に、各位置で受信可能なチャンネルの一覧情報を記憶するチャンネル情報記憶部と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備える
請求項１１に記載された視聴調査サーバ。
【請求項１３】（削除）
【請求項１４】（削除）
【請求項１５】（補正後）放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部
とを具備し、
前記視聴調査端末は、
前記映像表示端末が表示する映像の映像信号を前記視聴調査サーバに送信する映像送信部
を備え、
前記視聴調査サーバは、
前記映像送信部から送信される映像信号に基づいて、前記映像表示端末が表示する映像の映像特徴量を生成する映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、映像表示端末が表示している番組または前記番組を放送しているチャンネルを特定する視聴番組特定部
とを備え、
前記視聴調査端末は、前記映像表示端末の電源がオンであるかオフであるかを判定する電源状態判定部を備え、
前記映像送信部は、前記映像表示端末の電源がオンであると判定された場合に、前記映像表示端末が表示する映像の映像信号を前記視聴調査サーバに送信し、
前記映像送信部は、前記映像表示端末が表示する映像の映像信号とともに、前記映像信号を前記映像表示端末から入力された時刻の情報を前記視聴調査サーバに送信し、
前記番組映像特徴量生成手段は、番組の映像信号を受信した時刻の情報を、前記映像信号に基づいて生成した映像特徴量とともに前記番組映像特徴量記憶部に記憶させ、
前記視聴調査サーバは、前記映像送信手段から受信した時刻の情報と、前記番組映像特徴量記憶手段が記憶する時刻の情報とに基づいて、前記視聴番組特定部による類似度の判定処理対象を定める第１の類似度判定処理対象限定部を備える視聴調査システム。
【請求項１６】（補正後）前記視聴調査端末は、前記映像表示端末の位置を示す位置情報を前記視聴調査サーバに送信する位置情報送信部を備え、
前記番組映像特徴量記憶部は、前記番組映像特徴量生成部が生成した映像特徴量をチャンネル毎に記憶し、
前記視聴調査サーバは、各位置で受信可能なチャンネルの一覧情報を記憶するチャンネル情報記憶部と、
前記位置情報送信部から受信した前記位置情報と前記一覧情報とに基づいて、前記映像表示端末が受信可能なチャンネルを特定することにより、視聴番組特定部による類似度の判定処理対象を定める第２の類似度判定処理対象限定部を備える
請求項１５に記載された視聴調査システム。
【請求項１７】（削除）
【請求項１８】（削除）
【請求項１９】（補正後）番組を表示する映像表示端末の電源がオンであるがオフであるかを判定する電源状態判定部と、
前記映像表示端末の電源がオンであると判定された場合に、前記映像表示端末が表示する映像の映像信号を、映像の特徴を表す情報である映像特徴量に基づいて前記映像に対応する番組またはその番組を放送しているチャンネルを特定する視聴調査サーバに送信する映像送信部と
を具備し、
する
放送される番組の映像を表示する映像表示端末が表示する映像の映像信号を、前記映像表示端末に設置される視聴調査端末から受信し、前記映像信号に基づいて、前記映像表示端末が表示する映像の特徴を表す情報である映像特徴量を生成する映像特徴量生成部と、
映像の特徴を表す情報である映像特徴量を各チャンネルの各番組毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定手段と
を備え、
前記番組映像特徴量記憶部は、前記番組映像特徴量生成部が番組の映像信号を受信した時刻の情報を、前記番組映像特徴量生成部が生成した映像特徴量とともに記憶し、
前記映像表示端末が表示する映像の映像信号が前記映像表示端末から前記視聴調査端末に送られた時刻の情報を受信し、受信した時刻の情報と、前記番組映像特徴量記憶部が記憶する時刻の情報とに基づいて、前記視聴番組特定部による類似度の判定処理対象を定める第１の類似度判定処理対象限定部を備える
視聴調査サーバ。
【請求項２０】（補正後）前記番組映像特徴量記憶部は、番組映像特徴量生成部が生成した映像特徴量をチャンネル毎に記憶し、
更に、各位置で受信可能なチャンネルの一覧情報を記憶するチャンネル情報記憶部と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備えた
請求項１９に記載された視聴調査サーバ。
【請求項２１】（削除）
【請求項２２】（削除）
【請求項２３】（補正後）放送される番組の映像を表示する映像表示端末から番組の映像の映像信号が入力される映像信号入力部と、
前記映像信号入力部に入力された映像信号に基づいて、映像の特徴を表す情報である映像特徴量を生成する映像特徴量生成部と、
各チャンネルで放送されている番組の映像信号に基づいて、番組の映像の映像特徴量をチャンネル毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定部と
を具備し、
更に、前記映像表示端末の電源がオンであるかオフであるかを判定する電源状態判定手段を備え、
前記映像特徴量生成部は、前記映像表示端末の電源がオンであると判定された場合に、前記映像表示端末が表示する映像の映像特徴量を生成し、
前記番組映像特徴量生成部は、番組の映像信号を受信した時刻の情報を、前記映像信号に基づいて生成した映像特徴量とともに前記番組映像特徴量記憶部に記憶させ、
前記映像表示端末から前記映像信号入力部に映像信号が入力された時刻と、前記番組映像特徴量記憶手段が記憶する時刻の情報とに基づいて、前記視聴番組特定部による類似度の判定処理対象を定める類似度判定処理対象限定部を備えた
視聴調査端末。
６２
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部と
を具備し、
前記視聴調査端末は、
前記映像表示端末が表示する映像の映像信号が前記映像表示端末から入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を前記視聴調査サーバに送信する送信部とを備え、
前記視聴調査サーバは、
前記番組映像特徴量生成部が生成した映像特徴量を記憶する番組映像特徴量記憶部と、
前記送信部によって送信された映像特徴量と、前記番組映像特徴量記憶部が記憶する各映像特徴量との類似度を判定することによって、前記映像表示端末が表示している番組または前記番組を放送しているチャンネルを特定する視聴番組特定部とを備え、
前記送信部は、前記映像表示端末から前記映像信号入力部に映像信号が入力された時刻の情報を、前記映像信号に基づいて生成された映像特徴量とともに前記視聴調査サーバに送信し、
前記番組映像特徴量生成部は、番組の映像信号を受信した時刻の情報を、前記映像信号に基づいて生成した映像特徴量とともに前記番組映像特徴量記憶部に記憶させ、
前記視聴調査サーバはさらに、前記送信部から受信した時刻の情報と、前記番組映像特徴量記憶部が記憶する時刻の情報とに基づいて、前記視聴番組特定部による類似度の判定処理対象を定める第１の類似度判定処理対象限定部を備える
視聴調査システム。
【請求項２】
前記視聴調査端末は更に、前記映像表示端末の電源がオンであるかオフであるかを判定する電源状態判定部を備え、
前記映像特徴量生成部は、前記映像表示端末の電源がオンであると判定された場合に、前記映像表示端末が表示する映像の映像特徴量を生成する
請求項１に記載された視聴調査システム。
【請求項３】
前記番組映像特徴量記憶部は、前記番組映像特徴量生成部が生成した映像特徴量をチャンネル毎に記憶し、
前記送信部は、映像表示端末の位置を示す位置情報を、映像特徴量とともに前記視聴調査サーバに送信し、
前記視聴調査サーバは更に、各位置で受信可能なチャンネルの一覧情報を記憶するチャンネル情報記憶部と、
前記送信部から受信した前記映像表示端末の位置情報と前記一覧情報とに基づいて、前記映像表示端末が受信可能なチャンネルを特定することにより、視聴番組特定部による類似度の判定処理対象を定める第２の類似度判定処理対象限定部とを備えた
請求項１又は２に記載された視聴調査システム。
【請求項４】
放送される番組の映像を表示する映像表示端末から前記映像の映像信号が入力される映像信号入力部と、
前記映像信号入力部に入力された映像信号に基づいて、前記映像表示端末が表示する映像の特徴を表す情報である映像特徴量を生成する映像特徴量生成部と、
前記映像特徴量生成部が生成した映像特徴量を、前記映像特徴量に基づいて前記映像に対応する番組またはその番組を放送しているチャンネルを特定する前記視聴調査サーバに送信する送信部と
を具備し、
前記送信部は、前記映像表示端末から前記映像信号入力部に映像信号が入力された時刻の情報を、前記映像信号に基づいて生成された映像特徴量とともに前記視聴調査サーバに送信する
視聴調査端末。
【請求項５】
前記映像表示端末の電源がオンであるかオフであるかを判定する電源状態判定手段を備え、
前記映像特徴量生成部は、映像表示端末の電源がオンであると判定された場合に、前記映像表示端末が表示する映像の映像特徴量を生成する
請求項４に記載された視聴調査システム。
【請求項６】
前記送信部は、前記映像表示端末の位置を示す位置情報を、前記映像信号に基づいて生成された映像特徴量とともに前記視聴調査サーバに送信する
請求項４又は５に記載された視聴調査端末。
【請求項７】
各チャンネルで放送されている番組の映像信号に基づいて、映像の特徴を表す情報である映像特徴量を各チャンネルの各番組毎に生成する番組映像特徴量生成部と、
前記番組映像特徴量生成手段が生成した映像特徴量を記憶する番組映像特徴量記憶部と、
放送される番組の映像を表示する映像表示端末に設置される視聴調査端末から、前記映像表示端末が表示した映像の特徴を表す情報である映像特徴量を受信し、受信した前記映像特徴量と、前記番組映像特徴量記憶部が記憶する各映像特徴量との類似度を判定することによって、前記映像表示端末が表示している番組または前記番組を放送しているチャンネルを特定する視聴番組特定部とを具備し、
前記番組映像特徴量記憶部は、前記番組映像特徴量生成部が番組の映像信号を受信した時刻の情報を、前記映像信号に基づいて生成した映像特徴量とともに記憶し、
更に、前記視聴調査端末から、前記映像表示端末が映像信号を受信した時刻の情報と、前記映像信号に基づいて生成された映像特徴量とを受信し、受信した時刻の情報と、前記番組映像特徴量記憶部が記憶する時刻の情報とに基づいて、視聴番組特定部による類似度の判定処理対象を定める第１の類似度判定処理対象限定部を備えた
視聴調査サーバ。
【請求項８】
前記番組映像特徴量記憶部は、前記番組映像特徴量生成部が生成した映像特徴量をチャンネル毎に記憶し、
更に、各位置で受信可能なチャンネルの一覧情報を記憶するチャンネル情報記憶部と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備える
請求項７に記載された視聴調査サーバ。
【請求項９】
放送される番組の映像を表示する映像表示端末に設置される視聴調査端末と、
前記視聴調査端末に接続される視聴調査サーバと、
前記視聴調査サーバに接続され、各チャンネルで放送されている番組の映像信号に基づいて、映像の特徴を表す情報である映像特徴量を各チャンネルの各番組毎に生成する番組映像特徴量生成部
とを具備し、
前記視聴調査端末は、
前記映像表示端末が表示する映像の映像信号を前記視聴調査サーバに送信する映像送信部
を備え、
前記視聴調査サーバは、
前記映像送信部から送信される映像信号に基づいて、前記映像表示端末が表示する映像の映像特徴量を生成する映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、映像表示端末が表示している番組または前記番組を放送しているチャンネルを特定する視聴番組特定部とを備え、
前記映像送信部は、前記映像表示端末が表示する映像の映像信号とともに、前記映像信号を前記映像表示端末から入力された時刻の情報を前記視聴調査サーバに送信し、
前記番組映像特徴量生成手段は、番組の映像信号を受信した時刻の情報を、前記映像信号に基づいて生成した映像特徴量とともに前記番組映像特徴量記憶部に記憶させ、
前記視聴調査サーバは、前記映像送信手段から受信した時刻の情報と、前記番組映像特徴量記憶手段が記憶する時刻の情報とに基づいて、前記視聴番組特定部による類似度の判定処理対象を定める第１の類似度判定処理対象限定部を備える
視聴調査システム。
【請求項１０】
前記視聴調査端末は、前記映像表示端末の電源がオンであるかオフであるかを判定する電源状態判定部を備え、
前記映像送信部は、前記映像表示端末の電源がオンであると判定された場合に、前記映像表示端末が表示する映像の映像信号を前記視聴調査サーバに送信する
請求項９に記載された視聴調査システム。
【請求項１１】
前記視聴調査端末は、前記映像表示端末の位置を示す位置情報を前記視聴調査サーバに送信する位置情報送信部を備え、
前記番組映像特徴量記憶部は、前記番組映像特徴量生成部が生成した映像特徴量をチャンネル毎に記憶し、
前記視聴調査サーバは、各位置で受信可能なチャンネルの一覧情報を記憶するチャンネル情報記憶部と、
前記位置情報送信部から受信した前記位置情報と前記一覧情報とに基づいて、前記映像表示端末が受信可能なチャンネルを特定することにより、視聴番組特定部による類似度の判定処理対象を定める第２の類似度判定処理対象限定部を備える
請求項９又は１０に記載された視聴調査システム。
【請求項１２】
放送される番組の映像を表示する映像表示端末が表示する映像の映像信号を、前記映像表示端末に設置される視聴調査端末から受信し、前記映像信号に基づいて、前記映像表示端末が表示する映像の特徴を表す情報である映像特徴量を生成する映像特徴量生成部と、
映像の特徴を表す情報である映像特徴量を各チャンネルの各番組毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定手段とを備え、
前記番組映像特徴量記憶部は、前記番組映像特徴量生成部が番組の映像信号を受信した時刻の情報を、前記番組映像特徴量生成部が生成した映像特徴量とともに記憶し、
前記映像表示端末が表示する映像の映像信号が前記映像表示端末から前記視聴調査端末に送られた時刻の情報を受信し、受信した時刻の情報と、前記番組映像特徴量記憶部が記憶する時刻の情報とに基づいて、前記視聴番組特定部による類似度の判定処理対象を定める第１の類似度判定処理対象限定部を備える
視聴調査サーバ。
【請求項１３】
前記番組映像特徴量記憶部は、番組映像特徴量生成部が生成した映像特徴量をチャンネル毎に記憶し、
更に、各位置で受信可能なチャンネルの一覧情報を記憶するチャンネル情報記憶部と、
前記映像表示端末の位置情報を前記視聴調査端末から受信し、前記映像表示端末の位置情報と前記一覧情報とに基づいて、前記映像表示端末が受信可能なチャンネルを特定することにより、前記視聴番組特定部による類似度の判定処理対象を定める第２の類似度判定処理対象限定部を備えた
請求項１２に記載された視聴調査サーバ。
【請求項１４】
放送される番組の映像を表示する映像表示端末から番組の映像の映像信号が入力される映像信号入力部と、
前記映像信号入力部に入力された映像信号に基づいて、映像の特徴を表す情報である映像特徴量を生成する映像特徴量生成部と、
各チャンネルで放送されている番組の映像信号に基づいて、番組の映像の映像特徴量をチャンネル毎に生成する番組映像特徴量生成部と、
前記番組映像特徴量生成部が生成した映像特徴量を記憶する番組映像特徴量記憶部と、
前記映像特徴量生成部が生成した映像特徴量と、前記番組映像特徴量記憶部が記憶する各映像特徴量との類似度を判定することによって、前記映像表示端末が表示している番組または前記番組を放送しているチャンネルを特定する視聴番組特定部とを具備し、
前記番組映像特徴量生成部は、番組の映像信号を受信した時刻の情報を、前記映像信号に基づいて生成した映像特徴量とともに前記番組映像特徴量記憶部に記憶させ、
前記映像表示端末から前記映像信号入力部に映像信号が入力された時刻と、前記番組映像特徴量記憶手段が記憶する時刻の情報とに基づいて、前記視聴番組特定部による類似度の判定処理対象を定める類似度判定処理対象限定部を備えた
視聴調査端末。
【請求項１５】
更に、前記映像表示端末の電源がオンであるかオフであるかを判定する電源状態判定手段を備え、
前記映像特徴量生成部は、前記映像表示端末の電源がオンであると判定された場合に、前記映像表示端末が表示する映像の映像特徴量を生成する
請求項１４に記載された視聴調査端末。
【国際調査報告】
2005011294.tif 000017
2005011294.tif 000018
2005011294.tif 000019